(57)【要約】  容器と、標準サイズ入口を被覆するのに充分なサイズのシート状材料と、キャリア材料の第１面の高粘着性接着材料とキャリア材料の第２面の低粘着性接着材料とを有するキャリア材料を包含するロール状両面テープとを含み、キャリア材料の第１面がキャリア材料の第２面より高い剥離接着力を有し、少なくとも一つのジッパが標準サイズ入口の高さの５０％より大きい長さを有する、パーティション組立キット。
2013506069.tif 000002
【特許請求の範囲】
【請求項１】
容器と、
標準サイズ入口を被覆するのに充分なサイズのシート状材料と、
キャリア材料の第１面の高粘着性接着材料とキャリア材料の第２面の低粘着性接着材料とを有するキャリア材料を包含して、前記キャリア材料の前記第１面が前記キャリア材料の前記第２面よりも高い剥離接着力を有する、ロール状両面テープと、
前記標準サイズ入口の高さの５０％より大きい長さを有する少なくとも一つのジッパと、
を包含するパーティション組立キット。
【請求項２】
前記シート状材料と前記ロール状両面テープと前記少なくとも一つのジッパとを格納するためのケースを前記容器が包含する、請求項１に記載のパーティション組立キット。
【請求項３】
再密封可能なケースを前記容器が包含する、請求項２に記載のパーティション組立キット。
【請求項４】
厚紙箱と紙箱とプラスチックケースと帆布バッグとプラスチックバッグと布バッグとで構成されるグループから選択される一つを前記容器が包含する、請求項１に記載のパーティション組立キット。
【請求項５】
前記シート状材料と前記ロール状両面テープと少なくとも一つのジッパの各々が前記ケース内で分離され得るように前記ケースが区画化される、請求項２に記載のパーティション組立キット。
【請求項６】
前記シート状材料と前記ロール状両面テープと少なくとも一つのジッパとが前記容器内に封入される、請求項１に記載のパーティション組立キット。
【請求項７】
前記シート状材料と前記ロール状両面テープと少なくとも一つのジッパの各々が前記容器内で分離され得るように前記容器が区画化される、請求項６に記載のパーティション組立キット。
【請求項８】
前記容器が第１区画と第２区画と第３区画とを包含する、請求項７に記載のパーティション組立キット。
【請求項９】
前記シート状材料が前記第１区画に格納される、請求項８に記載のパーティション組立キット。
【請求項１０】
前記ロール状両面テープが前記第２区画に格納される、請求項８に記載のパーティション組立キット。
【請求項１１】
前記少なくとも一つのジッパが前記第３区画に格納される、請求項８に記載のパーティション組立キット。
【請求項１２】
単層フィルムシート材料と複層フィルムシート材料とプラスチックか合成材料のシート材料と布材料と帆布材料と強化プラスチック防水シート材料のうち少なくとも一つを前記シート状材料が包含する、請求項１に記載のパーティション組立キット。
【請求項１３】
前記シート状材料が、２’０”×６’８”と２’２”×６’８”と２’４”×６’８”と２’６”×６’８”と２’８”×６’８”と２’１０”×６’８”と３’０”×６’８”とで構成されるグループから選択される寸法を有するドアを包含する標準サイズ入口を被覆するのに充分なサイズである、請求項１に記載のパーティション組立キット。
【請求項１４】
前記標準サイズの入口が、
約２’フィートから約８’フィートに及ぶ幅および約５’フィートから約１２’フィートに及ぶ高さ、
を包含する、請求項１に記載のパーティション組立キット。
【請求項１５】
前記キャリア材料の前記第１面がマスキングテープのものとほぼ等しい剥離接着力を有する、請求項１に記載のパーティション組立キット。
【請求項１６】
前記キャリア材料の前記第１面がペインターテープのものとほぼ等しい剥離接着力を有する、請求項１に記載のパーティション組立キット。
【請求項１７】
前記キャリア材料の前記第２面がダクトテープのものとほぼ等しい剥離接着力を有する、請求項１に記載のパーティション組立キット。
【請求項１８】
前記キャリア材料の前記第１面が２０Ｎ／ｉｎより高いか等しい剥離接着力を有する、請求項１に記載のパーティション組立キット。
【請求項１９】
前記キャリア材料の前記第２面が１５Ｎ／ｉｎより低いか等しい剥離接着力を有する、請求項１に記載のパーティション組立キット。
【請求項２０】
約４：３と約６：１の間に及ぶ示差接着力比を前記ロール状両面テープが有し、前記示差接着力比が、前記キャリア材料の前記第１面の前記剥離接着力と前記キャリア材料の前記第２面の前記剥離接着力との比である、請求項１に記載のパーティション組立キット。
【請求項２１】
前記キャリア材料の前記第２面がＵＶ保護剤を包含する、請求項１に記載のパーティション組立キット。
【請求項２２】
前記ロール状両面テープがさらに、前記高粘着性接着材料を有する前記キャリア材料の前記第１面に配置されるテープライナを包含する、請求項１に記載のパーティション組立キット。
【請求項２３】
前記テープライナが赤色剥離ライナを包含する、請求項２２に記載のパーティション組立キット。
【請求項２４】
前記テープライナが紙テープライナを包含する、請求項２２に記載のパーティション組立キット。
【請求項２５】
ジッパプルを介して係合または分離される第１および第２務歯部分を各々が有する第１および第２フランジを前記少なくとも一つのジッパが包含する、請求項１に記載のパーティション組立キット。
【請求項２６】
前記少なくとも一つのジッパの前記第１および第２フランジの各々に前塗布接着材料が載置される、請求項２５に記載のパーティション組立キット。
【請求項２７】
前記第１および第２フランジの各々に載置された前記前塗布接着材料に接着された保護用ライナを前記少なくとも一つのジッパがさらに包含する、請求項２６に記載のパーティション組立キット。
【請求項２８】
前記少なくとも一つのジッパが第１ジッパと第２ジッパとを包含し、ジッパプルを介して係合または分離される第１および第２務歯部分を各々が有する第１および第２フランジを前記第１および第２ジッパの各々が包含する、請求項１に記載のパーティション組立キット。
【請求項２９】
前記第１および第２ジッパの前記第１および第２フランジの各々に前塗布接着材料が載置される、請求項２８に記載のパーティション組立キット。
【請求項３０】
シートカッタをさらに包含する、請求項１に記載のパーティション組立キット。
【請求項３１】
ハンドルと、前記ハンドルから延出する第１および第２穿刺フィンガであって、第１および第２穿刺箇所で切断対象の前記シート状材料を穿刺するための構造および構成を持つ穿刺端部を有する穿刺フィンガと、前記第１および第２穿刺箇所を始点として前記シート状材料を切断するような構造および構成を持つとともに前記シート状材料に二つの平行な切込みを形成するための印加切断力の方向に延在する、前記穿刺フィンガの前記穿刺端部と前記ハンドルとの間の第１および第２ブレードとを前記シートカッタが包含する、請求項３０に記載のパーティション組立キット。
【請求項３２】
前記少なくとも一つのジッパの長さが前記標準サイズ入口の高さの７５％より大きい、請求項１に記載のパーティション組立キット。
【請求項３３】
前記ロール状両面テープの前記キャリア材料が単一キャリア材料で構成される、請求項１に記載のパーティション組立キット。
【請求項３４】
前記キャリア材料が紙キャリア材料を包含する、請求項３３に記載のパーティション組立キット。
【請求項３５】
前記少なくとも一つのジッパが前記シート状材料に前装着される、請求項１に記載のパーティション組立キット。
【請求項３６】
前記少なくとも一つのジッパが第１および第２ジッパを包含する、請求項３５に記載のパーティション組立キット。
【請求項３７】
容器と、
標準サイズ入口を被覆するのに充分なサイズのシート状材料と、
前記キャリア材料の第１面の高粘着性接着材料と前記キャリア材料の第２面の低粘着性接着材料とを有するキャリア材料を包含し、前記キャリア材料の前記第１面が前記キャリア材料の前記第２面よりも高い剥離接着力を有する、ロール状両面テープと、
前記標準サイズ入口の高さの７５％より大きい長さを有する少なくとも一つのジッパと、
を包含し、
前記シート状材料と前記ロール状両面テープと前記少なくとも一つのジッパとが前記容器内に封入され、
厚紙箱と紙箱とプラスチックケースと帆布バッグとプラスチックバッグと布バッグとで構成されるグループから選択される一つを前記容器が包含し、
単層フィルムシート材料と複層フィルムシート材料とプラスチックか合成材料のシート材料と布材料と帆布材料と強化プラスチック防水シート材料のうち少なくとも一つを前記シート状材料が包含し、
約４：３から約６：１に及ぶ示差接着力比を前記ロール状両面テープが有し、前記示差接着力比が、前記キャリア材料の前記第１面の前記剥離接着力と前記キャリア材料の前記第２面の前記剥離接着力との比であり、
前記ロール状両面テープがさらに、前記高粘着性接着材料を有する前記キャリア材料の前記第１面に配置されたテープライナを包含し、
ジッパプルを介して係合または分離される第１および第２務歯部分を各々が有する第１および第２フランジを前記少なくとも一つのジッパが包含する、
パーティション組立キット。
【請求項３８】
シート状材料とロール状両面テープと少なくとも一つのジッパとが格納された容器を用意することであって、前記ロール状両面テープ材料が、キャリア材料の第１面の高粘着性接着材料とキャリア材料の第２面の低粘着性接着材料とを有するキャリア材料を包含し、前記キャリア材料の前記第１面が前記キャリア材料の前記第２面より高い剥離接着力を有することと、
前記容器から前記ロール状両面テープを取り出すことと、
前記低粘着性接着材料を有する前記キャリア材料の前記第２面を入口に押し当てることにより前記ロール状両面テープの一部分を前記入口に貼付することと、
前記シート状材料を前記容器から取り出すことと、
前記高粘着性接着材料を有する前記キャリア材料の前記第１面に前記シート状材料を貼付することと、
を包含する、パーティション取付システムの組立方法。
【請求項３９】
前記少なくとも一つのジッパを前記容器から取り出すことと、
前記少なくとも一つのジッパを前記シート状材料に貼付することと、
をさらに包含する、請求項３８に記載の方法。
【請求項４０】
前記ジッパの底部分が前記シート状材料の底部分と整合される、請求項３９に記載の方法。
【請求項４１】
前記キャリア材料の前記第１面に配置されたテープライナを取り除くことで、前記キャリア材料の前記第１面に前記シート状材料を貼付する前に前記高粘着性接着材料を露出させることをさらに包含する、請求項３８に記載の方法。
【請求項４２】
前記容器に格納されたカッタを用意することと、
前記容器から前記カッタを取り出すことと、
前記少なくとも一つのジッパの第１および第２フランジの間にある前記シート状材料の露出部分の上部分に前記カッタを配置することと、
前記カッタの尖端が前記シート状材料の前記露出部分を最初に貫通するように前記カッタに圧力を印加することにより、前記シート状材料を穿刺することと、
前記シート状材料の前記底部分に向かって前記カッタを下向き切断方向に引き下げることにより、前記シート状材料から材料細片を切断することと、
前記シート状材料から前記材料細片を除去することと、
をさらに包含する、請求項３９に記載の方法。
【請求項４３】
キャリア材料の第１面の高粘着性接着材料と前記キャリア材料の第２面の低粘着性接着材料とを有するキャリア材料であって、前記キャリア材料の前記第１面が前記キャリア材料の前記第２面より高い剥離接着力を有する、キャリア材料と、
前記高粘着性接着材料を有する前記キャリア材料の前記第１面に配置されたテープライナと、
を包含する、ロール状両面テープ。
【請求項４４】
前記キャリア材料の前記第１面がマスキングテープのものとほぼ等しい剥離接着力を有する、請求項４３に記載のロール状両面テープ。
【請求項４５】
前記キャリア材料の前記第１面がペインターテープのものとほぼ等しい剥離接着力を有する、請求項４３に記載のロール状両面テープ。
【請求項４６】
前記キャリア材料の前記第２面がダクトテープのものとほぼ等しい剥離接着力を有する、請求項４３に記載のロール状両面テープ。
【請求項４７】
前記キャリア材料の前記第１面が２０Ｎ／ｉｎより高いか等しい剥離接着力を有する、請求項４３に記載のロール状両面テープ。
【請求項４８】
前記キャリア材料の前記第２面が１５Ｎ／ｉｎより低いか等しい剥離接着力を有する、請求項４３に記載のロール状両面テープ。
【請求項４９】
約４：３から約６：１に及ぶ示差接着力比を前記ロール状両面テープが有し、前記示差接着力比が、前記キャリア材料の前記第１面の前記剥離接着力と前記キャリア材料の前記第２面の前記剥離接着力との比である、請求項４３に記載のロール状両面テープ。
【請求項５０】
前記キャリア材料の前記第２面がＵＶ保護剤を包含する、請求項４３に記載のロール状両面テープ。
【請求項５１】
前記キャリア材料が単一キャリア材料で構成される、請求項４３に記載のロール状両面テープ。
【請求項５２】
前記キャリア材料が紙キャリア材料である、請求項５１に記載のロール状両面テープ。
【請求項５３】
前記キャリア材料が紙キャリア材料である、請求項４３に記載のロール状両面テープ。
【請求項５４】
前記テープライナが赤色剥離ライナを包含する、請求項４３に記載のロール状両面テープ。
【請求項５５】
前記テープライナが紙テープライナを包含する、請求項４３に記載のロール状両面テープ。
【請求項５６】
前記キャリア材料の前記第１面が３０Ｎ／ｉｎより高いか等しい剥離接着力を有し、前記キャリア材料の前記第２面が６Ｎ／ｉｎより高いか等しい剥離接着力を有し、前記キャリア材料の前記第１面が前記キャリア材料の前記第２面より高い剥離接着力を有する、請求項４３に記載のロール状両面テープ。
【請求項５７】
単層フィルムシート材料と複層フィルムシート材料とプラスチックか合成材料のシート材料と布材料と帆布材料と強化プラスチック防水シート材料のうち少なくとも一つと、
標準サイズ入口の高さの５０％より大きい長さを有する少なくとも一つのジッパであって、前記シート状材料に前装着される少なくとも一つのジッパと、
を包含し、
前記シート状材料が、約２’フィートから約８’フィートに及ぶ幅と約５’フィートから約１２’フィートに及ぶ高さとを有する標準サイズ入口を被覆するのに充分なサイズである、
標準サイズ入口を被覆するのに充分なサイズのシート状材料。
【請求項５８】
前記シート状材料が、２’０”×６’８”と２’２”×６’８”と２’４”×６’８”と２’６”×６’８”と２’８”×６’８”と２’１０”×６’８”と３’０”×６’８”とで構成されるグループから選択される寸法を有するドアを有する標準サイズ入口を被覆するのに充分なサイズである、請求項５７に記載のシート状材料。
【請求項５９】
前記少なくとも一つのジッパの長さが前記標準サイズ入口の高さの７５％より大きい、請求項５７に記載のシート状材料。
【請求項６０】
ジッパプルを介して係合または分離される第１および第２務歯部分を各々が有する第１および第２フランジを前記少なくとも一つのジッパが包含する、請求項５７に記載のシート状材料。
【請求項６１】
前記少なくとも一つのジッパが第１ジッパと第２ジッパとを包含し、ジッパプルを介して係合または分離される第１および第２務歯部分を各々が有する第１および第２フランジを前記第１および第２ジッパの各々が包含する、請求項５７に記載のシート状材料。
【請求項６２】
前記少なくとも一つのジッパが接着剤により前記シート状材料に前装着される、請求項５７に記載のシート状材料。
【請求項６３】
前記少なくとも一つのジッパが前記シート状材料に縫着される、請求項５７に記載のシート状材料。
【請求項６４】
前記少なくとも一つのジッパが前記シート状材料に熱溶着される、請求項５７に記載のシート状材料。
【請求項６５】
前記少なくとも一つのジッパが第１および第２フランジを包含し、前記第１および第２フランジの間の前切断開口部を前記シート状材料が包含する、請求項５７に記載のシート状材料。
【請求項６６】
容器と、
標準サイズ入口を被覆するのに充分なサイズのシート状材料と、
キャリア材料の第１面の高粘着性接着材料とキャリア材料の第２面の低粘着性接着材料とを有するキャリア材料を包含するロール状両面テープであって、前記キャリア材料の前記第１面が前記キャリア材料の前記第２面より高い剥離接着力を有する、ロール状両面テープと、
前記標準サイズ入口の高さの５０％より大きい長さを有する少なくとも一つのジッパと、
を包含するパーティション組立キット。
【請求項６７】
前記シート状材料と前記ロール状両面テープと前記少なくとも一つのジッパとを格納するためのケースを前記容器が包含する、先行請求項の少なくとも一つに記載のパーティション組立キット。
【請求項６８】
前記容器が再密封可能なケースを包含する、先行請求項の少なくとも一つに記載のパーティション組立キット。
【請求項６９】
厚紙箱と紙箱とプラスチックケースと帆布バッグとプラスチックバッグと布バッグとで構成されるグループから選択される一つを前記容器が包含する、先行請求項の少なくとも一つに記載のパーティション組立キット。
【請求項７０】
前記シート状材料と前記ロール状両面テープと前記少なくとも一つのジッパの各々が前記ケース内で分離され得るように前記ケースが区画化される、先行請求項の少なくとも一つに記載のパーティション組立キット。
【請求項７１】
前記シート状材料と前記ロール状両面テープと前記少なくとも一つのジッパとが前記容器内に封入される、先行請求項の少なくとも一つに記載のパーティション組立キット。
【請求項７２】
前記シート状材料と前記ロール状両面テープと前記少なくとも一つのジッパの各々が前記容器内で分離され得るように前記容器が区画化される、先行請求項の少なくとも一つに記載のパーティション組立キット。
【請求項７３】
前記容器が第１区画と第２区画と第３区画とを包含する、先行請求項の少なくとも一つに記載のパーティション組立キット。
【請求項７４】
前記シート状材料が前記第１区画に格納される、先行請求項の少なくとも一つに記載のパーティション組立キット。
【請求項７５】
前記ロール状両面テープが前記第２区画に格納される、先行請求項の少なくとも一つに記載のパーティション組立キット。
【請求項７６】
前記少なくとも一つのジッパが前記第３区画に格納される、先行請求項の少なくとも一つに記載のパーティション組立キット。
【請求項７７】
単層フィルムシート材料と複層フィルムシート材料とプラスチックか合成材料のシート材料と布材料と帆布材料と強化プラスチック防水シート材料のうち少なくとも一つを前記シート状材料が包含する、先行請求項の少なくとも一つに記載のパーティション組立キット。
【請求項７８】
前記シート状材料が、２’０”×６’８”と２’２”×６’８”と２’４”×６’８”と２’６”×６’８”と２’８”×６’８”と２’１０”×６’８”と３’０”×６’８”とで構成されるグループから選択される寸法を有するドアを包含する標準サイズ入口を被覆するのに充分なサイズである、先行請求項の少なくとも一つに記載のパーティション組立キット。
【請求項７９】
約２’フィートから約８’フィートに及ぶ幅と約５’フィートから約１２’フィートに及ぶ高さを前記標準サイズ入口が包含する、先行請求項の少なくとも一つに記載のパーティション組立キット。
【請求項８０】
前記キャリア材料の前記第１面がマスキングテープのものとほぼ等しい剥離接着力を有する、先行請求項の少なくとも一つに記載のパーティション組立キット。
【請求項８１】
前記キャリア材料の前記第１面がペインターテープものとほぼ等しい剥離接着力を有する、先行請求項の少なくとも一つに記載のパーティション組立キット。
【請求項８２】
前記キャリア材料の前記第２面がダクトテープのものとほぼ等しい剥離接着力を有する、先行請求項の少なくとも一つに記載のパーティション組立キット。
【請求項８３】
前記キャリア材料の前記第１面が２０Ｎ／ｉｎより高いか等しい剥離接着力を有する、先行請求項の少なくとも一つに記載のパーティション組立キット。
【請求項８４】
前記キャリア材料の前記第２面が１５Ｎ／ｉｎより低いか等しい剥離接着力を有する、先行請求項の少なくとも一つに記載のパーティション組立キット。
【請求項８５】
前記ロール状両面テープが約４：３から約６：１に及ぶ示差接着力比を有し、前記示差接着力比が前記キャリア材料の前記第１面の前記剥離接着力と前記キャリア材料の前記第２面の前記剥離接着力との比である、先行請求項の少なくとも一つに記載のパーティション組立キット。
【請求項８６】
前記キャリア材料の前記第２面がＵＶ保護剤を包含する、先行請求項の少なくとも一つに記載のパーティション組立キット。
【請求項８７】
前記高粘着性接着剤を有する前記キャリア材料の前記第１面に配置されたテープライナを前記ロール状両面テープがさらに包含する、先行請求項の少なくとも一つに記載のパーティション組立キット。
【請求項８８】
前記テープライナが赤色剥離ライナを包含する、先行請求項の少なくとも一つに記載のパーティション組立キット。
【請求項８９】
前記テープが紙テープライナを包含する、先行請求項の少なくとも一つに記載のパーティション組立キット。
【請求項９０】
ジッパプルを介して係合または分離される第１および第２務歯部分を各々が有する第１および第２フランジを前記少なくとも一つのジッパが包含する、先行請求項の少なくとも一つに記載のパーティション組立キット。
【請求項９１】
前記少なくとも一つのジッパの前記第１および第２フランジの各々に前塗布接着材料が載置される、先行請求項の少なくとも一つに記載のパーティション組立キット。
【請求項９２】
前記第１および第２フランジの各々に載置された前記前塗布接着材料に接着された保護用ライナを前記少なくとも一つのジッパがさらに包含する、先行請求項の少なくとも一つに記載のパーティション組立キット。
【請求項９３】
前記少なくとも一つのジッパが第１ジッパと第２ジッパとを包含し、ジッパプルを介して係合または分離され得る第１および第２務歯部分を各々が有する第１および第２フランジを前記第１および第２ジッパの各々が包含する、先行請求項の少なくとも一つに記載のパーティション組立キット。
【請求項９４】
前記第１および第２ジッパの前記第１および第２フランジの各々に前塗布接着材料が載置される、先行請求項の少なくとも一つに記載のパーティション組立キット。
【請求項９５】
シートカッタをさらに包含する、先行請求項の少なくとも一つに記載のパーティション組立キット。
【請求項９６】
前記シートカッタが、ハンドルと、前記ハンドルから延出する第１および第２穿刺フィンガであって、第１および第２穿刺箇所で切断対象の前記シート状材料を穿刺するような構造および構成を持つ穿刺端部を有する第１および第２穿刺フィンガと、前記第１および第２穿刺箇所を始点として前記シート状材料を切断するような構造および構成を持つとともに前記シート状材料に二つの平行な切込みを形成するための印加切断力の方向に延在する、前記穿刺フィンガの前記穿刺端部と前記ハンドルとの間の第１および第２ブレードとを包含する、先行請求項の少なくとも一つに記載パーティション組立キット。
【請求項９７】
前記少なくとも一つのジッパの長さが前記標準サイズ入口の高さの７５％より大きい、先行請求項の少なくとも一つに記載のパーティション組立キット。
【請求項９８】
前記ロール状両面テープの前記キャリア材料が単一キャリア材料で構成される、先行請求項の少なくとも一つに記載のパーティション組立キット。
【請求項９９】
前記キャリア材料が紙キャリア材料を包含する、先行請求項の少なくとも一つに記載のパーティション組立キット。
【請求項１００】
前記少なくとも一つのジッパが前記シート状材料に前装着される、先行請求項の少なくとも一つに記載のパーティション組立キット。
【請求項１０１】
前記少なくとも一つのジッパが第１および第２ジッパを包含する、先行請求項の少なくとも一つに記載のパーティション組立キット。
【請求項１０２】
容器と、
標準サイズ入口を被覆するのに充分なサイズのシート状材料と、
キャリア材料の第１面の高粘着性接着材料とキャリア材料の第２面の低粘着性接着材料とを有するキャリア材料を包含し、前記キャリア材料の前記第１面がキャリア材料の前記第２面より高い剥離接着力を有する、ロール状両面テープと、
前記標準サイズ入口の高さの７５％より大きい長さを有する少なくとも一つのジッパと、
を包含し、
前記シート状材料と前記ロール状両面テープと前記少なくとも一つのジッパとが前記容器内に封入され、
厚紙箱と紙箱とプラスチックケースと帆布バッグとプラスチックバッグと布バッグとで構成されるグループから選択される一つを前記容器が包含し、
単層フィルムシート材料と複層フィルムシート材料とプラスチックか合成のシート材料と布材料と帆布材料と強化プラスチック防水シート材料のうち少なくとも一つを前記シート状材料が包含し、
約４：３から約６：１に及ぶ示差接着力比を前記ロール状両面テープが有し、前記示差接着力比が、前記キャリア材料の前記第１面の前記剥離接着力と前記キャリア材料の前記第２面の前記剥離接着力との比であり、
前記高粘着性接着材料を有する前記キャリア材料の前記第１面に配置されたテープライナを前記ロール状両面テープがさらに包含し、
ジッパプルを介して係合または分離される第１および第２務歯部分を各々が有する第１および第２フランジを前記少なくとも一つのジッパが包含する、
パーティション組立キット。
【請求項１０３】
シート状材料とロール状両面テープと少なくとも一つのジッパとが格納された容器を用意することであって、キャリア材料の第１面の高粘着性接着材料とキャリア材料の第２面の低粘着性接着材料とを有するキャリア材料を前記ロール状両面テープが包含し、前記キャリア材料の前記第１面が前記キャリア材料の前記第２面より高い剥離接着力を有することと、
前記ロール状両面テープを前記容器から取り出すことと、
前記低粘着性接着材料を有する前記キャリア材料の前記第２面を入口に押し当てることにより前記ロール状両面テープ部分を前記入口に貼付することと、
前記シート状材料を前記容器から取り出すことと、
前記高粘着性接着材料を有する前記キャリア材料の前記第１面に前記シート状材料を貼付することと、
を包含する、パーティション取付システムの組立方法。
【請求項１０４】
前記少なくとも一つのジッパを前記容器から取り出すことと、
前記少なくとも一つのジッパを前記シート状材料に貼付することと、
をさらに包含する、先行請求項の少なくとも一つに記載の方法。
【請求項１０５】
前記ジッパの底部分が前記シート状材料の底部分と整合される、先行請求項の少なくとも一つに記載の方法。
【請求項１０６】
前記キャリア材料の前記第１面に配置されたテープライナを取り除くことで、前記シート状材料を前記キャリア材料の前記第１面に貼付する前に前記高粘着性接着材料を露出させることをさらに包含する、先行請求項の少なくとも一つに記載の方法。
【請求項１０７】
前記容器に格納されたカッタを用意することと、
前記カッタを前記容器から取り出すことと、
前記少なくとも一つのジッパの第１および第２フランジの間にある前記シート状材料の露出部分の上部分に前記カッタを配置することと、
前記カッタの尖端が前記シート状材料の前記露出部分を最初に貫通するように前記カッタに圧力を印加することにより、前記シート状材料を穿刺することと、
前記シート状材料の前記底部分に向かって下向き切断方向に前記カッタを引き下ろすことで、前記シート状材料から材料細片を切断することと、
前記材料細片を前記シート状材料から除去することと、
をさらに包含する、先行請求項の少なくとも一つに記載の方法。
【請求項１０８】
キャリア材料の第１面の高粘着性接着材料とキャリア材料の第２面の低粘着性接着材料とを有するキャリア材料であって、キャリア材料の前記第１面がキャリア材料の前記第２面より高い剥離接着力を有する、キャリア材料と、
前記高粘着性接着材料を有する前記キャリア材料の前記第１面に配置されたテープライナと、
を包含するロール状両面テープ。
【請求項１０９】
前記キャリア材料の前記第１面がマスキングテープのものと等しい剥離接着力を有する、先行請求項の少なくとも一つに記載のロール状両面テープ。
【請求項１１０】
前記キャリア材料の前記第１面がペインターテープのものと等しい剥離接着力を有する、先行請求項の少なくとも一つに記載のロール状両面テープ。
【請求項１１１】
前記キャリア材料の前記第２面がダクトテープのものと等しい剥離接着力を有する、先行請求項の少なくとも一つに記載のロール状両面テープ。
【請求項１１２】
前記キャリア材料の前記第１面が２０Ｎ／ｉｎより高いか等しい剥離接着力を有する、先行請求項の少なくとも一つに記載のロール状両面テープ。
【請求項１１３】
前記キャリア材料の前記第２面が１５Ｎ／ｉｎより低いか等しい剥離接着力を有する、先行請求項の少なくとも一つに記載のロール状両面テープ。
【請求項１１４】
前記ロール状両面テープが約４：３から約６：１に及ぶ示差接着力比を有し、前記示差接着力比が前記キャリア材料の前記第１面の前記剥離接着力と前記キャリア材料の前記第２面の前記剥離接着力との比である、先行請求項の少なくとも一つに記載のロール状両面テープ。
【請求項１１５】
前記キャリア材料の前記第２面がＵＶ保護剤を包含する、先行請求項の少なくとも一つに記載のロール状両面テープ。
【請求項１１６】
前記キャリア材料が単一キャリア材料で構成される、先行請求項の少なくとも一つに記載のロール状両面テープ。
【請求項１１７】
前記キャリア材料が紙キャリア材料である、先行請求項の少なくとも一つに記載のロール状両面テープ。
【請求項１１８】
前記キャリア材料が紙キャリア材料である、先行請求項の少なくとも一つに記載のロール状両面テープ。
【請求項１１９】
前記テープライナが赤色剥離ライナを包含する、先行請求項の少なくとも一つに記載のロール状両面テープ。
【請求項１２０】
前記テープライナが紙テープライナを包含する、先行請求項の少なくとも一つに記載のロール状両面テープ。
【請求項１２１】
前記キャリア材料の前記第１面が３０Ｎ／ｉｎより高いか等しい剥離接着力を有し、前記キャリア材料の前記第２面が６Ｎ／ｉｎより高いか等しい剥離接着力を有し、前記キャリア材料の前記第１面が前記キャリア材料の前記第２面より高い剥離接着力を有する、先行請求項の少なくとも一つに記載のロール状両面テープ。
【請求項１２２】
単層フィルムシート材料と複層フィルムシート材料とプラスチックか合成材料のシート材料と布材料と帆布材料と強化プラスチック防水シート材料のうち少なくとも一つと、
前記標準サイズ入口の高さの５０％より大きい長さを有する少なくとも一つのジッパであって、前記シート状材料に前装着される、少なくとも一つのジッパと、
を包含し、
前記シート状材料が、約２’フィートから約８’フィートに及ぶ幅と約５’フィートから約１２’フィートに及ぶ高さとを有する標準サイズ入口を被覆するのに充分なサイズである、
標準サイズ入口を被覆するのに充分なサイズのシート状材料。
【請求項１２３】
前記シート状材料が、２’０”×６’８”と２’２”×６’８”と２’４”×６’８”と２’６”×６’８”と２’８”×６’８”と２’１０”×６’８”と３’０”×６’８”とで構成されるグループから選択される寸法を有するドアを包含する標準サイズ入口を被覆するのに充分なサイズである、先行請求項の少なくとも一つに記載のシート状材料。
【請求項１２４】
前記少なくとも一つのジッパの長さが前記標準サイズ入口の高さの７５％より大きい、先行請求項の少なくとも一つに記載のシート状材料。
【請求項１２５】
ジッパプルを介して係合または分離される第１および第２務歯部分を各々が有する第１および第２フランジを前記少なくとも一つのジッパが包含する、先行請求項の少なくとも一つに記載のシート状材料。
【請求項１２６】
前記少なくとも一つのジッパが第１ジッパと第２ジッパとを包含し、前記第１および第２ジッパの各々が、ジッパプルを介して係合または分離される第１および第２務歯部分を各々が有する第１および第２フランジを包含する、先行請求項の少なくとも一つに記載のシート状材料。
【請求項１２７】
前記少なくとも一つのジッパが接着剤により前記シート状材料に前装着される、先行請求項の少なくとも一つに記載のシート状材料。
【請求項１２８】
前記少なくとも一つのジッパが前記シート状材料に縫着される、先行請求項の少なくとも一つに記載のシート状材料。
【請求項１２９】
前記少なくとも一つのジッパが前記シート状材料に熱溶着される、先行請求項の少なくとも一つに記載のシート状材料。
【請求項１３０】
前記少なくとも一つのジッパが第１および第２フランジを包含し、前記第１および第２フランジの間の前切断開口部を前記シート状材料が包含する、先行請求項の少なくとも一つに記載のシート状材料。
【請求項１３１】
前記少なくとも一つのジッパが最小で４フィートの長さである、請求項１に記載のパーティション組立キット。
【請求項１３２】
前記少なくとも一つのジッパが最小で５フィートの長さである、請求項１に記載のパーティション組立キット。
【請求項１３３】
前記少なくとも一つのジッパが最小で６フィートの長さである、請求項１に記載のパーティション組立キット。
【請求項１３４】
前記少なくとも一つのジッパが最小で７フィートの長さである、請求項１に記載のパーティション組立キット。
【請求項１３５】
前記少なくとも一つのジッパが最小で８フィートの長さである、請求項１に記載のパーティション組立キット。
【請求項１３６】
前記シート状材料が、２’０”×６’８”と２’２”×６’８”と２’４”×６’８”と２’６”×６’８”と２’８”×６’８”と２’１０”×６’８”と３’０”×６’８”とで構成されるグループから選択される寸法を有する標準サイズ入口を被覆するのに充分なサイズである、請求項１に記載のパーティション組立キット。
【請求項１３７】
ストラップをさらに包含する、請求項１に記載のパーティション組立キット。
【発明の詳細な説明】
【背景技術】
【０００１】
パーティション取付システムは、埃、騒音、光線、臭気、およびその他に対するバリヤとして機能することにより、建物または部屋の一部分を隔離するのに利用される。建設現場の労働者はしばしば、パーティションを構築および設置するための基本的技術を使用する。ある者は、カーテンまたはプラスチックのシート状材料を部屋の床、天井、または当接壁へ釘、ねじ、ステープルで単純に固定して、結果的にその表面にダメージを与えてしまう。マスキングテープ（例えば、３Ｍ  Ｐａｉｎｔｅｒｓ  Ｔａｐｅなど（Ｈｅａｄｑｕａｒｔｅｒｓが３Ｍ  Ｃｅｎｔｅｒ，Ｓｔ．Ｐａｕｌ、ＭＮ  ５５１４４にある３Ｍ  Ｃｏｒｐｏｒａｔｅの製品））を使用して、カーテンまたはプラスチックシートを部屋の壁または天井にテープで留めるか接着する者もいる。しかし、マスキングテープは通常、その重量のためカーテンまたはプラスチックシートに接着することができない。他方、ダクトテープ（例えば、Ｄｕｃｋ  Ｔａｐｅなど（３２１５０  Ｊｕｓｔ  Ｉｍａｇｉｎｅ  Ｄｒｉｖｅ，Ａｖｏｎ，ＯＨ  ４４０１１にあるＨｅｎｋｅｌ  Ｃｏｎｓｕｍｅｒ  Ａｄｈｅｓｉｖｅｓ，Ｉｎｃ．の製品））を使用して、部屋の壁または天井にカーテンまたはプラスチックシートを固定する者もいる。その結果、テープを取り除く際に表面から塗料が引き剥がされるか、テープが取り除かれた時に残留接着剤が残ってしまう。
【発明の概要】
【発明が解決しようとする課題】
【０００２】
本発明概念の実施形態は、パーティション取付システムと、パーティション組立キットと、設置および使用方法に関連する。一態様において、本発明概念の実施形態は、パーティション取付システムを組み立てるのに使用可能である様々な部品および工具を包含するパーティション組立キットを含む。一実施形態において、仕切られたエリアへの迅速な進入およびここからの退出を可能にする臨時ドアまたは密封入口を形成するのに使用され得るパーティション組立キットに、部品および工具が用意される。一実施形態において、パーティション組立キットの様々な部品および工具は、厚紙箱、紙箱、プラスチックケース、プラスチックバッグ、または帆布バッグなど、共通の容器で用意される。本発明概念の実施形態は、ドアおよび窓枠に加えて、他のタイプの入口および開口部に使用可能である。
【課題を解決するための手段】
【０００３】
一態様において、パーティション組立キットは、容器と、標準サイズ入口を被覆するのに充分なサイズのシート状材料と、キャリア材料の第１面の高粘着性接着材料とキャリア材料の第２面の低粘着性接着材料とを有するキャリア材料を包含し、キャリア材料の第１面がキャリア材料の第２面よりも高い剥離接着力を有する、ロール状両面テープと、標準サイズ入口の高さの５０％より大きい長さを有する少なくとも一つのジッパとを包含する。
【０００４】
一実施形態では、シート状材料とロール状両面テープと少なくとも一つのジッパとを格納するためのケースを容器が包含する。
【０００５】
別の実施形態では、厚紙箱と紙箱とプラスチックケースと帆布バッグと布バッグとで構成されるグループから選択される一つをケースが包含する。
【０００６】
別の実施形態では、シート状材料とロール状両面テープと少なくとも一つのジッパの各々がケース内で分離され得るように、ケースが区画化される。
【０００７】
別の実施形態では、単層フィルムシート材料と複層フィルムシート材料とプラスチックか合成材料のシート材料と布材料と帆布材料と強化プラスチック防水シート材料のうち少なくとも一つを、シート状材料が包含する。
【０００８】
別の実施形態では、２’０”×６’８”と２’２”×６’８”と２’４”×６’８”と２’６”×６’８”と２’８”×６’８”と２’１０”×６’８”と３’０”×６’８”とで構成されるグループから選択される寸法を有するドアを、標準サイズ入口が包含する。
【０００９】
別の実施形態では、約２’フィートから約８’フィートに及ぶ幅と約５’フィートから約１２’フィートに及ぶ高さとを、標準サイズ入口が包含する。
【００１０】
別の実施形態において、キャリア材料の第１面はマスキングテープとほぼ等しい剥離接着力を有する。
【００１１】
別の実施形態において、キャリア材料の第２面はダクトテープとほぼ等しい剥離接着力を有する。
【００１２】
別の実施形態において、キャリア材料の第１面は２０Ｎ／ｉｎより高いか等しい剥離接着力を有する。
【００１３】
別の実施形態において、キャリア材料の第２面は１５Ｎ／ｉｎより低いか等しい剥離接着力を有する。
【００１４】
別の実施形態において、ロール状両面テープは約４：３から約６：１に及ぶ示差接着力比を有し、示差接着力比はキャリア材料の第１面の剥離接着力とキャリア材料の第２面の剥離接着力との比である。
【００１５】
別の実施形態において、キャリア材料の第２面はＵＶ保護剤を包含する。
【００１６】
別の実施例において、ロール状両面テープは、高粘着性接着材料を有するキャリア材料の第１面に配置されたテープライナをさらに包含する。
【００１７】
別の実施形態では、テープライナは赤色剥離ライナを包含する。
【００１８】
別の実施形態では、ジッパプルを介して係合または分離される第１および第２務歯部分を各々が有する第１および第２フランジを、少なくとも一つのジッパが包含する。
【００１９】
別の実施形態では、少なくとも一つのジッパの第１および第２フランジの各々に前塗布接着材料が載置される。
【００２０】
別の実施形態において、少なくとも一つのジッパは、第１および第２フランジの各々に載置された前塗布接着材料に接着された保護用ライナをさらに包含する。
【００２１】
別の実施形態では、少なくとも一つのジッパが第１ジッパと第２ジッパとを包含し、第１および第２ジッパの各々は、ジッパプルを介して係合または分離される第１および第２務歯部分を各々が有する第１および第２フランジを包含する。
【００２２】
別の実施形態において、前塗布接着材料は、第１および第２ジッパの第１および第２フランジの各々に載置される。
【００２３】
別の実施形態において、パーティション組立キットはカッタをさらに包含する。
【００２４】
別の実施形態において、ハンドルと、ハンドルから延出する第１および第２穿刺フィンガであって、第１および第２穿刺箇所で切断対象のシート状材料を穿刺するような構造および構成を持つ穿刺端部を有する穿刺フィンガと、第１および第２穿刺箇所を始点としてシート状材料を切断するような構造および構成を持つとともに、シート状材料に二つの平行な切込みを形成するための印加切断力の方向に延在する、穿刺フィンガの穿刺端部とハンドルとの間の第１および第２ブレードとを、カッタが包含する。
【００２５】
別の実施形態において、少なくとも一つのジッパの長さは標準サイズ入口の高さの７５％より大きい。
【００２６】
別の実施形態において、少なくとも一つのジッパは最小で４フィートの長さである。
【００２７】
別の実施形態において、少なくとも一つのジッパは最小で５フィートの長さである。
【００２８】
別の実施形態において、少なくとも一つのジッパは最小で６フィートの長さである。
【００２９】
別の実施形態において、少なくとも一つのジッパは最小で７フィートの長さである。
【００３０】
別の実施形態において、少なくとも一つのジッパは最小で８フィートの長さである。
【００３１】
別の実施形態において、少なくとも一つのジッパは最小で９フィートの長さである。
【００３２】
別の実施形態において、少なくとも一つのジッパは最小で１０フィートの長さである。
【００３３】
別の実施形態において、シート状材料は、２’０”×６’８”と２’２”×６’８”と２’４”×６’８”と２’６”×６’８”と２’８”×６’８”と２’１０”×６’８”と３’０”×６’８”とで構成されるグループから選択される寸法を有する標準サイズ入口を被覆するのに充分なサイズである。
【００３４】
別の態様において、パーティション組立キットは、容器と、標準サイズ入口を被覆するのに充分なサイズのシート状材料と、キャリア材料の第１面の高粘着性接着材料とキャリア材料の第２面の低粘着性接着材料とを有するキャリア材料を包含するロール状両面テープとを包含し、キャリア材料の第１面はキャリア材料の第２面より高い剥離接着力を有し、少なくとも一つのジッパは標準サイズ入口の高さの７５％より大きい長さを有し、シート状材料とロール状両面テープと少なくとも一つのジッパとを格納するためのケースを容器が包含し、厚紙箱と紙箱とプラスチックケースと帆布バッグと布バッグとで構成されるグループから選択される一つをケースが包含し、単層フィルムシート材料と複層フィルムシート材料とプラスチックか合成材料のシート材料と布材料と帆布材料と強化プラスチック防水シート材料のうち少なくとも一つをシート状材料が包含し、約４：３から約６：１に及ぶ示差接着力比をロール状両面テープが有して、示差接着力比がキャリア材料の第１面の剥離接着力とキャリア材料の第２面の剥離接着力との比であり、高粘着性接着材料を有するキャリア材料の第１面に配置されたテープライナをロール状両面テープがさらに包含し、ジッパプルを介して係合または分離され得る第１および第２務歯部分を各々が有する第１および第２フランジを少なくとも一つのジッパが包含し、少なくとも一つのジッパの第１および第２フランジの各々に前塗布接着材料が載置される。
【００３５】
別の態様において、パーティション取付システムの組立方法は、シート状材料とロール状両面テープと少なくとも一つのジッパとが格納された容器を用意することであって、キャリア材料の第１面の高粘着性接着材料とキャリア材料の第２面の低粘着性接着材料とを有するキャリア材料をロール状両面テープが包含し、キャリア材料の第１面がキャリア材料の第２面より高い剥離接着力を有することと、ロール状両面テープを容器から取り出すことと、低粘着性接着材料を有するキャリア材料の第２面を入口に押し当てることによりロール状両面テープの両面テープの一部分を入口に貼付することと、シート状材料を容器から取り出すことと、高粘着性接着材料を有するキャリア材料の第１面にシート状材料を貼付することと、少なくとも一つのジッパを容器から取り出すことと、少なくとも一つのジッパをシート状材料に貼付することであって、ジッパの底部分がシート状材料の底部分と整合されることとを包含する。
【００３６】
一実施形態において、この方法は、キャリア材料の第１面に配置されたテープライナを取り除くことで、キャリア材料の第１面にシート状材料を貼付する前に高粘着性接着材料を露出させることをさらに包含する。
【００３７】
別の実施形態において、この方法は、容器に格納されたカッタを用意することと、カッタを容器から取り出すことと、少なくとも一つのジッパの第１および第２フランジの間にあるシート状材料の露出部分の上部分にカッタを配置することと、カッタの尖端がシート状材料の露出部分を最初に貫通するようにカッタに圧力を印加することによりシート状材料に穿刺することと、シート状材料の底部分に向かってカッタを下向き切断方向に引き下ろすことによりシート状材料から材料細片を切断することと、材料細片をシート状材料から除去することとをさらに包含する。
【００３８】
別の態様において、ロール状両面テープは、キャリア材料の第１面の高粘着性接着材料とキャリア材料の第２面の低粘着性接着材料とを有し、キャリア材料の第１面がキャリア材料の第２面より高い剥離接着力を有する、キャリア材料と、高粘着性接着材料を有するキャリア材料の第１面に配置されたテープライナとを包含する。
【００３９】
一実施形態において、キャリア材料の第１面はマスキングテープと等しい剥離接着力を有する。
【００４０】
別の実施形態において、キャリア材料の第２面はダクトテープと等しい剥離接着力を有する。
【００４１】
別の実施形態において、キャリア材料の第１面は２０Ｎ／ｉｎより高いか等しい剥離接着力を有する。
【００４２】
別の実施形態において、キャリア材料の第２面は１５Ｎ／ｉｎより低いか等しい剥離接着力を有する。
【００４３】
別の実施形態では、約４：３から約６：１に及ぶ示差接着力比をロール状両面テープが有し、示差接着力比はキャリア材料の第１面の剥離接着力とキャリア材料の第２面の剥離接着力との比である。
【００４４】
別の実施形態において、キャリア材料の第２面はＵＶ保護剤を包含する。
【００４５】
別の実施形態において、テープライナは赤色剥離ライナを包含する。
【００４６】
別の実施形態において、キャリア材料の第１面は３０Ｎ／ｉｎより高いか等しい剥離接着力を有し、キャリア材料の第２面は６Ｎ／ｉｎより高いか等しい剥離接着力を有し、キャリア材料の第１面はキャリア材料の第２面より高い剥離接着力を有する。
【００４７】
別の実施形態において、パーティション組立キットは、容器と、標準サイズ入口を被覆するのに充分なサイズのシート状材料と、キャリア材料の第１面の高粘着性接着材料とキャリア材料の第２面の低粘着性接着材料とを有するキャリア材料を包含して、キャリア材料の第１面がキャリア材料の第２面より高い剥離接着力を有する、ロール状両面テープと、標準サイズ入口の高さの５０％より大きい長さを有する少なくとも一つのジッパとを包含する。
【００４８】
いくつかの実施形態では、シート状材料とロール状両面テープと少なくとも一つのジッパとを格納するためのケースを容器が包含する。
【００４９】
いくつかの実施形態では、再密封可能なケースを容器が包含する。
【００５０】
いくつかの実施形態では、厚紙箱と紙箱とプラスチックケースと帆布バッグとプラスチックバッグと布バッグとで構成されるグループから選択される一つを容器が包含する。
【００５１】
いくつかの実施形態では、シート状材料とロール状両面テープと少なくとも一つのジッパの各々がケース内で分離され得るようにケースが区画化される。
【００５２】
いくつかの実施形態では、シート状材料とロール状両面テープと少なくとも一つのジッパとが容器内に封入される。
【００５３】
いくつかの実施形態では、シート状材料とロール状両面テープと少なくとも一つのジッパの各々が容器内で分離されるように容器が区画化される。
【００５４】
いくつかの実施形態では、第１区画と第２区画と第３区画とを容器が包含する。
【００５５】
いくつかの実施形態では、シート状材料が第１区画に格納される。
【００５６】
いくつかの実施形態では、ロール状両面テープが第２区画に格納される。
【００５７】
いくつかの実施形態では、少なくとも一つのジッパが第３区画に格納される。
【００５８】
いくつかの実施形態では、単層フィルムシート材料と複層フィルムシート材料とプラスチックか合成材料のシート材料と布材料と帆布材料と強化プラスチック防水シート材料のうち少なくとも一つを、シート状材料が包含する。
【００５９】
いくつかの実施形態において、シート状材料は、２’０”×６’８”と２’２”×６’８”と２’４”×６’８”と２’６”×６’８”と２’８”×６’８”と２’１０”×６’８”と３’０”×６’８”とで構成されるグループから選択される寸法を有するドアを包含する標準サイズ入口を被覆するのに充分なサイズである。
【００６０】
いくつかの実施形態では、約２’フィートから約８’フィートに及ぶ幅と約５’フィートから約１２’フィートに及ぶ高さとを標準サイズ入口が包含する。
【００６１】
いくつかの実施形態において、キャリア材料の第１面はマスキングテープのものとほぼ等しい剥離接着力を有する。
【００６２】
いくつかの実施形態において、キャリア材料の第１面はペインターテープのものとほぼ等しい剥離接着力を有する。
【００６３】
いくつかの実施形態において、キャリア材料の第２面はダクトテープのものとほぼ等しい剥離接着力を有する。
【００６４】
いくつかの実施形態において、キャリア材料の第１面は２０Ｎ／ｉｎより高いか等しい剥離接着力を有する。
【００６５】
いくつかの実施形態において、キャリア材料の第２面は１５Ｎ／ｉｎより低いか等しい剥離接着力を有する。
【００６６】
いくつかの実施形態では、約４：３から約６：１に及ぶ示差接着力比をロール状両面テープが有し、示差接着力比はキャリア材料の第１面の剥離接着力とキャリア材料の第２面の剥離接着力との比である。
【００６７】
いくつかの実施形態において、キャリア材料の第２面はＵＶ保護剤を包含する。
【００６８】
いくつかの実施形態において、高粘着性接着材料を有するキャリア材料の第１面に配置されたテープライナをロール状両面テープがさらに包含する。
【００６９】
いくつかの実施形態において、テープライナは赤色剥離ライナを包含する。
【００７０】
いくつかの実施形態において、テープライナは紙テープライナを包含する。
【００７１】
いくつかの実施形態では、ジッパプルを介して係合または分離され得る第１および第２務歯部分を各々が有する第１および第２フランジを少なくとも一つのジッパが包含する。
【００７２】
いくつかの実施形態では、少なくとも一つのジッパの第１および第２フランジの各々に前塗布接着材料が載置される。
【００７３】
いくつかの実施形態では、第１および第２フランジの各々に載置された前塗布接着材料に接着された保護用ライナを、少なくとも一つのジッパがさらに包含する。
【００７４】
いくつかの実施形態では、少なくとも一つのジッパが第１ジッパと第２ジッパとを包含し、ジッパプルを介して係合または分離され得る第１および第２務歯部分を各々が有する第１および第２フランジを、第１および第２ジッパの各々が包含する。
【００７５】
いくつかの実施形態では、第１および第２ジッパの第１および第２フランジの各々に、前塗布接着材料が載置される。
【００７６】
いくつかの実施形態において、パーティション組立キットはシートカッタをさらに包含する。
【００７７】
いくつかの実施形態において、シートカッタは、ハンドルと、ハンドルから延出する第１および第２穿刺フィンガであって、第１および第２穿刺箇所で切断対象のシート状材料に穿刺するような構造および構成を持つ穿刺端部を有する穿刺フィンガと、第１および第２穿刺箇所を始点としてシート状材料を切断するような構造および構成を持つとともにシート状材料に二つの平行な切込みを形成するための印加切断力の方向に延在する、穿刺フィンガの穿刺端部とハンドルとの間の第１および第２ブレードとを包含する。
【００７８】
いくつかの実施形態において、少なくとも一つのジッパの長さは標準サイズ入口の高さの７５％より大きい。
【００７９】
いくつかの実施形態において、ロール状両面テープのキャリア材料は単一キャリア材料で構成される。
【００８０】
いくつかの実施形態において、キャリア材料は紙キャリア材料を包含する。
【００８１】
いくつかの実施形態において、少なくとも一つのジッパはシート状材料に前装着される。
【００８２】
いくつかの実施形態において、少なくとも一つのジッパは第１および第２ジッパを包含する。
【００８３】
別の態様において、パーティション組立キットは、容器と、標準サイズ入口を被覆するのに充分なサイズのシート状材料と、キャリア材料の第１面の高粘着性接着材料とキャリア材料の第２面の低粘着性接着材料とを有するキャリア材料を包含するロール状両面テープであって、キャリア材料の第１面がキャリア材料の第２面より高い剥離接着力を有する、ロール状両面テープと、標準サイズ入口の高さの７５％より大きい長さを有する少なくとも一つのジッパとを包含し、シート状材料とロール状両面テープと少なくとも一つのジッパとが容器内に封入され、厚紙箱と紙箱とプラスチックケースと帆布バッグとプラスチックバッグと布バッグとで構成されるグループから選択される一つを容器が包含し、単層フィルムシート材料と複層フィルムシート材料とプラスチックか合成材料の材料と布材料と帆布材料と強化プラスチック防水シート材料のうち少なくとも一つをシート状材料が包含し、約４：３から約６：１に及ぶ示差接着力比をロール状両面テープが有し、示差接着力比がキャリア材料の第１面の剥離接着力とキャリア材料の第２面の剥離接着力との比であり、高粘着性接着材料を有するキャリア材料の第１面に配置されたテープライナをロール状両面テープがさらに包含し、ジッパプルを介して係合または分離される第１および第２務歯部分を各々が有する第１および第２フランジを少なくとも一つのジッパが包含する。
【００８４】
別の態様において、パーティション取付システムの組立方法は、シート状材料とロール状両面テープと少なくとも一つのジッパとが格納された容器を用意することであって、キャリア材料の第１面の高粘着性接着材料とキャリア材料の第２面の低粘着性接着材料とを有するキャリア材料をロール状両面テープが包含して、キャリア材料の第１面がキャリア材料の第２面より高い剥離接着力を有することと、ロール状両面テープを容器から取り出すことと、低粘着性接着材料を有するキャリア材料の第２面を入口に押し当てることによりロール状両面テープ部分を入口に貼付することと、シート状材料を容器から取り出すことと、高粘着性接着材料を有するキャリア材料の第１面にシート状材料を貼付することとを包含する。
【００８５】
いくつかの実施形態において、この方法は、少なくとも一つのジッパを容器から取り出すことと、少なくとも一つのジッパをシート状材料に貼付することとをさらに包含する。
【００８６】
いくつかの実施形態では、ジッパの底部分がシート状材料の底部分と整合される。
【００８７】
いくつかの実施形態において、この方法は、キャリア材料の第１面に配置されたテープライナを取り除くことで、シート状材料をキャリア材料の第１面に貼付する前に高粘着性接着材料を露出させることをさらに包含する。
【００８８】
いくつかの実施形態において、この方法は、容器に格納されたカッタを用意することと、カッタを容器から取り出すことと、少なくとも一つのジッパの第１および第２フランジの間にあるシート状材料の露出部分の上部分にカッタを配置することと、カッタの尖端がシート状材料の露出部分を最初に貫通するようにカッタに圧力を印加することによりシート状材料を穿刺することと、シート状材料の底部分に向かってカッタを下向き切断方向に引き下ろすことにより材料細片をシート状材料から切断することと、材料細片をシート状材料から除去することとをさらに包含する。
【００８９】
別の態様において、ロール状両面テープは、キャリア材料の第１面の高粘着性接着材料とキャリア材料の第２面の低粘着性接着材料とを有するキャリア材料であって、キャリア材料の第１面がキャリア材料の第２面より高い剥離接着力を有する、キャリア材料と、高粘着性接着材料を有するキャリア材料の第１面に配置されたテープライナとを包含する。
【００９０】
いくつかの実施形態において、キャリア材料の第１面はマスキングテープのものと等しい剥離接着力を有する。
【００９１】
いくつかの実施形態において、キャリア材料の第１面はペインターテープのものと等しい剥離接着力を有する。
【００９２】
いくつかの実施形態において、キャリア材料の第２面はダクトテープのものと等しい剥離接着力を有する。
【００９３】
いくつかの実施形態において、キャリア材料の第１面は２０Ｎ／ｉｎより高いか等しい剥離接着力を有する。
【００９４】
いくつかの実施形態において、キャリア材料の第２面は１５Ｎ／ｉｎより低いか等しい剥離接着力を有する。
【００９５】
いくつかの実施形態では、約４：３から約６：１に及ぶ示差接着力比をロール状両面テープが有し、示差接着力比がキャリア材料の第１面の剥離接着力とキャリア材料の第２面の剥離接着力との比である。
【００９６】
いくつかの実施形態において、キャリア材料の第２面はＵＶ保護剤を包含する。
【００９７】
いくつかの実施形態において、キャリア材料は単一キャリア材料で構成される。
【００９８】
いくつかの実施形態において、キャリア材料は紙キャリア材料である。
【００９９】
いくつかの実施形態において、キャリア材料は紙キャリア材料である。
【０１００】
いくつかの実施形態において、テープライナは赤色剥離ライナを包含する。
【０１０１】
いくつかの実施形態において、テープライナは紙テープライナを包含する。
【０１０２】
いくつかの実施形態において、キャリア材料の第１面は３０Ｎ／ｉｎより高いか等しい剥離接着力を有し、キャリア材料の第２面は６Ｎ／ｉｎより高いか等しい剥離接着力を有し、キャリア材料の第１面はキャリア材料の第２面より高い剥離接着力を有する。
【０１０３】
別の面において、標準サイズ入口を被覆するのに充分なサイズのシート状材料は、単層フィルムシート材料と複層フィルムシート材料とプラスチックか合成材料のシート材料と布材料と帆布材料と強化プラスチック防水シート材料のうち少なくとも一つと、標準サイズ入り口の高さの５０％より大きい長さを有する少なくとも一つのジッパであって、シート状材料に前装着される少なくとも一つのジッパとを包含し、シート状材料が、約２’フィートから約８’フィートに及ぶ幅と約５’フィートから１２’フィートに及ぶ高さとを有する標準サイズ入口を被覆するのに充分なサイズである。
【０１０４】
いくつかの実施形態において、シート状材料は、２’０”×６’８”と２’２”×６’８”と２’４”×６’８”と２’６”×６’８”と２’８”×６’８”と２’１０”×６’８”と３’０”×６’８”とで構成されるグループから選択される寸法を有するドアを有する標準サイズ入口を被覆するのに充分なサイズである。
【０１０５】
いくつかの実施形態において、少なくとも一つのジッパの長さは標準サイズ入口の高さの７５％より大きい。
【０１０６】
いくつかの実施形態において、ジッパプルを介して係合または分離され得る第１および第２務歯部分を各々が有する第１および第２フランジを、少なくとも一つのジッパが包含する。
【０１０７】
いくつかの実施形態において、少なくとも一つのジッパは第１ジッパと第２ジッパとを包含し、ジッパプルを介して係合または分離される第１および第２務歯部分を各々が有する第１および第２フランジを第１および第２ジッパの各々が包含する。
【０１０８】
いくつかの実施形態では、少なくとも一つのジッパが接着剤によりシート状材料に前装着される。
【０１０９】
いくつかの実施形態では、少なくとも一つのジッパがシート状材料に縫着される。
【０１１０】
いくつかの実施形態では、少なくとも一つのジッパがシート状材料に熱溶着される。
【０１１１】
いくつかの実施形態では、少なくとも一つのジッパが第１および第２フランジを包含し、第１および第２フランジの間の前切断開口部をシート状材料が包含する。
【図面の簡単な説明】
【０１１２】
【図１Ａ】本発明概念の実施形態によるパーティション取付システムを組み立てるための部品および工具を含むパーティション組立キットの斜視図である。
【図１Ｂ】本発明概念の実施形態によるパーティション取付システムを組み立てるための部品および工具を含むパーティション組立キットの斜視図である。
【図１Ｃ】本発明概念の他の実施形態によるパーティション取付システムを組み立てるための部品および工具を含むパーティション組立キットの斜視図である。
【図１Ｄ】本発明概念の他の実施形態によるパーティション取付システムを組み立てるための部品および工具を含むパーティション組立キットの斜視図である。
【図２Ａ】本発明概念の実施形態による図１Ａ乃至１Ｄのパーティション組立キットに含まれ得るタイプのジッパの斜視図である。
【図２Ｂ】本発明概念の他の実施形態による図１Ａ乃至１Ｄのパーティション組立キットに含まれ得るタイプのジッパの斜視図である。
【図２Ｃ】本発明概念の実施形態による図１Ａ乃至１Ｄのパーティション組立キットに含まれ得るタイプの両面テープのロールの分解斜視図である。
【図２Ｄ】本発明概念の実施形態による図１Ａおよび１Ｃのパーティション組立キットに含まれ得るタイプのカッタの斜視図である。
【図３Ａ】本発明概念の実施形態による図１Ａ乃至１Ｄに関連して説明されるタイプのパーティション組立キットを使用してパーティション取付システムを組み立てるための方法を図示している。
【図３Ｂ】本発明概念の実施形態による図１Ａ乃至１Ｄに関連して説明されるタイプのパーティション組立キットを使用してパーティション取付システムを組み立てるための方法を図示している。
【図３Ｃ】本発明概念の実施形態による図１Ａ乃至１Ｄに関連して説明されるタイプのパーティション組立キットを使用してパーティション取付システムを組み立てるための方法を図示している。
【図３Ｄ】本発明概念の実施形態による図１Ａ乃至１Ｄに関連して説明されるタイプのパーティション組立キットを使用してパーティション取付システムを組み立てるための方法を図示している。
【図３Ｅ】本発明概念の実施形態による図１Ａ乃至１Ｄに関連して説明されるタイプのパーティション組立キットを使用してパーティション取付システムを組み立てるための方法を図示している。
【図３Ｆ】本発明概念の実施形態による図１Ａ乃至１Ｄに関連して説明されるタイプのパーティション組立キットを使用してパーティション取付システムを組み立てるための方法を図示している。
【図３Ｇ】本発明概念の実施形態による図１Ａ乃至１Ｄに関連して説明されるタイプのパーティション組立キットを使用してパーティション取付システムを組み立てるための方法を図示している。
【図３Ｈ】本発明概念の実施形態による図１Ａ乃至１Ｄに関連して説明されるタイプのパーティション組立キットを使用してパーティション取付システムを組み立てるための方法を図示している。
【図３Ｉ】本発明概念の実施形態による図１Ａ乃至１Ｄに関連して説明されるタイプのパーティション組立キットを使用してパーティション取付システムを組み立てるための方法を図示している。
【図３Ｊ】本発明概念の実施形態による図１Ａ乃至１Ｄに関連して説明されるタイプのパーティション組立キットを使用してパーティション取付システムを組み立てるための方法を図示している。
【図３Ｋ】本発明概念の実施形態による図１Ａ乃至１Ｄに関連して説明されるタイプのパーティション組立キットを使用してパーティション取付システムを組み立てるための方法を図示している。
【図３Ｌ】本発明概念の実施形態による図１Ａ乃至１Ｄに関連して説明されるタイプのパーティション組立キットを使用してパーティション取付システムを組み立てるための方法を図示している。
【図３Ｍ】本発明概念の実施形態による図１Ａ乃至１Ｄに関連して説明されるタイプのパーティション組立キットを使用してパーティション取付システムを組み立てるための方法を図示している。
【図４Ａ】本発明概念の別の実施形態によるパーティション取付システムを組み立てるための部品および工具を含むパーティション組立キットの斜視図である。
【図４Ｂ】本発明概念の別の実施形態によるパーティション取付システムを組み立てるための部品および工具を含むパーティション組立キットの斜視図である。
【図４Ｃ】本発明概念の別の実施形態によるパーティション取付システムを組み立てるための部品および工具を含むパーティション組立キットの斜視図である。
【図４Ｄ】本発明概念の別の実施形態によるパーティション取付システムを組み立てるための部品および工具を含むパーティション組立キットの斜視図である。
【図４Ｅ】本発明概念の別の実施形態によるパーティション取付システムを組み立てるための部品および工具を含むパーティション組立キットの斜視図である。
【図４Ｆ】本発明概念の別の実施形態によるパーティション取付システムを組み立てるための部品および工具を含むパーティション組立キットの斜視図である。
【図５】本発明概念の実施形態による図４Ａ乃至４Ｆのパーティション組立キットに含まれ得るタイプの前装着ジッパを有するシート状材料の斜視図である。
【図６Ａ】本発明概念の実施形態による図４Ａ乃至４Ｆと関連して説明されるタイプのパーティション組立キットを使用してパーティション取付システムを組み立てるための方法を図示している。
【図６Ｂ】本発明概念の実施形態による図４Ａ乃至４Ｆと関連して説明されるタイプのパーティション組立キットを使用してパーティション取付システムを組み立てるための方法を図示している。
【図６Ｃ】本発明概念の実施形態による図４Ａ乃至４Ｆと関連して説明されるタイプのパーティション組立キットを使用してパーティション取付システムを組み立てるための方法を図示している。
【図６Ｄ】本発明概念の実施形態による図４Ａ乃至４Ｆと関連して説明されるタイプのパーティション組立キットを使用してパーティション取付システムを組み立てるための方法を図示している。
【図６Ｅ】本発明概念の実施形態による図４Ａ乃至４Ｆと関連して説明されるタイプのパーティション組立キットを使用してパーティション取付システムを組み立てるための方法を図示している。
【図７】本発明概念の実施形態による両面テープの技術データ特性の表である。
【発明を実施するための形態】
【０１１３】
同様の参照符号が様々な図を通して同じ要素を指す添付図面に図示されている好適な実施形態についてのより詳しい説明から、本発明概念の実施形態の以上および他の目的、特徴、そして長所が明らかになるだろう。図面は必ずしも一定の比率ではなく、むしろ好適な実施形態の原理を図示することに重点が置かれている。
【０１１４】
ここで使用される用語は、特定の実施形態を説明することを目的とするもので、発明概念を限定する意図は持たない。ここで使用される際に、“ａ”、“ａｎ”、“ｔｈｅ”という単数形は、内容からそれ以外が明示される場合を除いて、複数形も含むことが意図されている。“ｃｏｍｐｒｉｓｅｓ（包含する）”、“ｃｏｍｐｒｉｓｉｎｇ（包含する）”、“ｉｎｃｌｕｄｅｓ（含む）”、および／または“ｉｎｃｌｕｄｉｎｇ（含む）”の語はここで使用される時に、記載された特徴、整数、ステップ、動作、要素、および／または部品の存在を明記しているが、一つ以上の他の特徴、整数、ステップ、動作、要素、部品、および／またはそのグループの存在または追加を除外するものではないことが、さらに理解されるだろう。
【０１１５】
様々な限定、要素、部品、領域、層、および／または区分を説明するのに第１、第２、第３などの語が使用されるが、こういった限定、要素、部品、領域、層、および／または区分がこれらの語によって限定されるわけではないことが理解されるだろう。これらの語は一つの限定、要素、部品、領域、層、または区分を別の限定、要素、部品、領域、層、または区分と区別するのに使用されているに過ぎない。本出願の教示を逸脱することなく、後述の第１の限定、要素、部品、領域、層、または区分が第２の限定、要素、部品、領域、層、または区分と呼ばれてもよい。
【０１１６】
ある要素が別の要素の「上」にある、あるいはこれに「接続」または「結合」される時には、他の要素の直接上または上方にあるかこれに接続または結合されても、介在要素が存在してもよいことがさらに理解されるだろう。対照的に、ある要素が別の要素の「直接上」にあるか「直接接続される」か「直接結合される」と言及されている時には、介在要素は存在しない。要素間の関係を説明するのに使用される他の語も同様に解釈されるべきである（「間に」と「直接間に」、「隣接して」と「直接隣接して」など）。要素が別の要素の「上方に」あると言及されている時には、他の要素の上方または下方にあって、他の要素に直接結合されているか介在要素が存在しても、空隙または間隙によって要素が離間していてもよい。
【０１１７】
本発明概念の実施形態は、パーティション取付システムを組み立てるのに使用され得る部品および工具を有するパーティション組立キットを提供する。一つの例示的実施形態において、パーティション取付システムはパーティション組立キットに用意された部品および工具を使用して組み立てられ、入口において建物の部屋への人の進入または退出が行われるように組み立てられる。様々な例において、入口は、シートがロックされるか貼り付けられた敷居、ドアのないドア枠、ドアのあるドア枠、スライド戸口、戸口、ドア枠、または他のタイプの入口を含み得る。一実施形態において、建物または部屋の第１領域を建物または部屋の第２領域から、あるいは建物または部屋の第１領域を建物または部屋の外部の環境から実質的に密封するか他の方法で分離して、第１および第２領域そのものが入口、戸口、ドア枠、窓枠、または他の枠付き敷居で連結されるようにするパーティション取付システムを組み立てるのに使用される部品および工具を格納する容器を、パーティション組立キットが含む。
【０１１８】
一実施形態において、建物の標準サイズドアの入口、例えば、以下の標準サイズドア寸法の一つから選択される標準サイズドアを有する入口にパーティション取付システムが設置されるような構造および構成を、パーティション組立キットの部品および工具が持つ。２’０”×６’８”と２’２”×６’８”と２’４”×６’８”と２’６”×６’８”と２’８”×６’８”と２’１０”×６’８”と３’０”×６’８”。別の実施形態では、約２’フィートから約８’フィートに及ぶ幅と約５’フィートから約１２’フィートに及ぶ高さとを有する入口にパーティション取付システムが設置され得るような構造および構成を、パーティション組立キットの部品および工具が持つ。このようにして、ジッパ付き開口部を介した建物または部屋の第１領域に対する進入および退出を可能にしながら、建物または部屋の第１領域の環境が建物または部屋の第２領域の環境または外部環境から実質的に密封されることが可能である。一実施形態では、パーティション組立キットに含まれる少なくとも一つのジッパを使用して組み立てられるジッパ付き開口部によって、人の迅速な進入および退出が達成される。別の実施形態では、パーティション組立キットに含まれる第１および第２ジッパを使用して組み立てられるジッパ付き開口部によって、人の迅速な進入および退出が達成される。
【０１１９】
図１Ａおよび１Ｂは、本発明概念の実施形態によるパーティション取付システムを組み立てるための部品および工具を含むパーティション組立キットの斜視図である。パーティション組立キット１０は、パーティション取付システムを組み立てるための様々な部品および工具を収容する容器１１を包含できる。一実施形態において、容器１１はプラスチックケースである。別の実施形態において、容器１１は、パーティション組立キットの部品および工具を格納および／または管理するのに使用可能である厚紙箱、紙箱、プラスチックバッグ、または他のタイプのケースである。容器１１の中身を固定するための一つ以上の留め金を容器１１が任意で含み得る。例えば、留め金は弾性ストラップまたはフックを包含できる。
【０１２０】
図１Ａを参照すると、パーティション組立キット１０に含まれる部品および工具は、少なくとも１枚のシート状材料２０１と、少なくとも一つのジッパ１４と、ロール状両面テープ１００と、カッタ１８とを含むことができる。この例示的実施形態において、図１Ａのパーティション組立キット１０は第１および第２ジッパ１４を包含する。しかし、図１Ａのパーティション組立キット１０が単一のジッパ１４を包含してもよい。
【０１２１】
図１Ｂを参照すると、パーティション組立キット１０に含まれる部品および工具は、別の実施形態において、少なくとも１枚のシート状材料２０１と、少なくとも一つのジッパ１４と、ロール状両面テープ１００とを含み得る。この例示的実施形態において、図１Ｂのパーティション組立キット１０は第１および第２ジッパ１４を包含する。しかし、図１Ａのパーティション組立キット１０は単一のジッパ１４を任意で包含できる。
【０１２２】
ここで説明されるいずれかの実施形態のパーティション組立キット１０は、例えば図６Ｅに関連して以下でさらに詳しく説明されるように、シート状材料２０１に形成される臨時開口部を固定するためのひも、ベルクロストラップ、または他の仕組みなどのストラップ１９を任意で含み得る。図示されていないが、ここで説明されるパーティション組立キット実施形態のいずれにもストラップ１９が任意で含まれ得る。
【０１２３】
図１Ａおよび１Ｂを参照すると、シート状材料２０１は様々な実施形態において、単層フィルムと複層フィルムとプラスチックか他の合成材料のシート、布または帆布シート、あるいは強化プラスチック防水シートを含み得る。シート状材料２０１が標準サイズの入口または窓枠を被覆するのに充分なサイズであるような幅および高さのシート状材料２０１であることが好ましい。一実施形態では、以下の寸法の標準サイズドアを有する入口を充分に被覆するような寸法を、シート状材料２０１が持つ。２’０”×６’８”と２’２”×６’８”と２’４”×６’８”と２’６”×６’８”と２’８”×６’８”と２’１０”×６’８”と３’０”×６’８”（例えば、６’８”は６フィート８インチを表す）。別の実施形態では、約２’フィートから約８’フィートに及ぶ幅と約５’フィートから約１２’フィートに及ぶ高さとを有する入口を充分に被覆するような寸法をシート状材料２０１が持つ。別の実施形態において、シート状材料２０１は、およそ３’×１８’、４’×６’、５’×７’、５’×２０’、６’×８’、６’×１０’、６’×１２’、６’×１６’、６’×２０’、６’×３０’、６’×４０’、７’×１０’、７’×２０’、７’×３０’、７’×４０’、８’×１０’、８’×１２’、８’×１６’、８’×１８’、８’×２０’、９’×１２’、１０’×１０’、１０’×１２’、１０’×１５’、１０’×１６’、１０’×１８’、１０’×２０’、１０’×３０’、１０’×４０’、１０’×６０’、１２’×１２’、１２’×１４’、１２’×１６’、１２’×１８’、１２’×２０’、１２’×２４’、１２’×２５’、１２’×３０’、１２’×４０’、１２’×１００’、１４’×１６’、１４’×１８’、１４’×２０’、１４’×２４’、１４’×２６’、１５’×１５’、１５’×２０’、１５’×２５’、１５’×３０’、１５’×３５’、１５’×４０’、１６’×２０’、１６’×２４’、１６’×２８’、１６’×３０’、１６’×３２’、１８’×１８’、１８’×２４’、１８’×３２’、１８’×３６’、１８’×４８’、２０’×２０’、２０’×２２’、２０’×２４’，２０’×２５’、２０’×３０’、２０’×４０’、２０’×５０’、２０’×１００’、２２’×３０’、２２’×５０’、２４’×３０’、２４’×３６’、２４’×４０’、２４’×６０’、２５’×２５’、２５’×４０’、２５’×４５’、２５’×８２’、２６’×４０’、２６’×４８’、３０’×３０’、３０’×４０’、３０’×５０’、３０’×６０’、３０’×８２’、４０’×４０’、４０’×５０’、４０’×６０’、４０’×８０’、４０’×１００’、５０’×５０’、５０’×１００’、６０’×６０’、６０’×１２０’、１００’×１００’、および１２０’×１２０’で構成される寸法のグループから選択される寸法である。
【０１２４】
図１Ｃおよび１Ｄは、本発明概念の他の実施形態によるパーティション取付システムを組み立てるための部品および工具を含むパーティション組立キットの斜視図である。図１Ａおよび１Ｂに図示されたものと同じ機能を有する要素は、同様の参照識別名で示されており、ゆえにその詳細な説明は省略される。
【０１２５】
図１Ｃを参照すると、シート状材料２０１とロール状両面テープ１００と第１および第２ジッパ１４とカッタ１８の各々が容器１１内で分離されるように、容器１１は区画化されている。容器１１は、第１および第２ジッパ１４を収納するための第１区画１１ａと、カッタ１８を収納するための第２区画１１ｂと、ロール状両面テープ１００を収納するための第３区画１１ｃと、シート状材料２０１を収納するための第４区画１１ｄとを包含する。
【０１２６】
図１Ｄを参照すると、シート状材料２０１とロール状両面テープ１００と第１および第２ジッパ１４とが容器１１内で分離されるように、容器１１は区画化されている。容器１１は、第１および第２ジッパ１４を収納するための第１区画１１ａと、ロール状両面テープ１００を収納するための第２区画１１ｂと、シート状材料２０１を収納するための第３区画１１ｄとを包含する。
【０１２７】
図２Ａ（Ａ）および２Ａ（Ｂ）は、本発明概念の実施形態による図１Ａ乃至１Ｄのパーティション組立キットに含まれ得るタイプのジッパの斜視図である。これらの例示的実施形態では、ジッパ１４の左右フランジ２０Ａ，２０Ｂに、前塗布接着材料２６が設けられている。左右フランジ２０Ａ，２０Ｂは、複数の左右務歯部分２２Ａ，２２Ｂを包含するとよい。
【０１２８】
ジッパ１４の左右務歯部分２２Ａ，２２Ｂを嵌合および開口させる前後ジッパプル２４を、ジッパ１４が含むとよい。一実施形態では、左右務歯部分２２Ａ，２２Ｂの各々が複数のナイロン、ポリエステル、または金属製の個々の務歯を包含するとよい。別の実施形態において、左右務歯部分２２Ａ，２２Ｂの各々は連続したナイロンまたはポリエステル製のコイルを包含するとよい。左右務歯部分２２Ａ，２２Ｂが係合または分離されるように手による操作とジッパ１４の左右務歯部分２２Ａ，２２Ｂに沿った移動とが可能であるジッパプル２４を、ジッパ１４がさらに含み得る。
【０１２９】
図２Ａ（Ａ）を参照すると、各フランジ２０Ａ，２０Ｂに載置されているのは、保護紙ストリップ２８またはテープライナが接着された前塗布接着材料２６である。保護紙ストリップ２８またはテープライナは、シート状材料２０１にジッパ１４が付着される準備が整うまで、埃、泥、および破片から接着材料２６を保護する。
【０１３０】
この実施形態では、左右務歯部分２２Ａ，２２Ｂがそれぞれ装着された左右ジッパ材料２１Ａ，２１Ｂにフランジ２０Ａ，２０Ｂが装着され得る。ジッパ材料２１Ａ，２１Ｂは、布、ファブリック、補強材、ナイロンメッシュ、ポリエステルメッシュ、およびその他を包含できる。フランジは、布材料、ファブリック材料、補強材料、ナイロンメッシュ材料、ポリエステルメッシュ材料、およびその他を包含できる。
【０１３１】
例えば、保護紙ストリップ２８またはテープライナが接着された前塗布接着材料２６を有する図１Ａ乃至１Ｄのパーティション組立キット１０に、ジッパ１４が収納されるとよい。
【０１３２】
図２Ａ（Ｂ）を参照すると、各フランジ２０Ａ，２０Ｂに載置されているのは、前塗布接着材料２６である。前塗布接着材料を有する左右フランジ２０Ａ，２０Ｂの両方に、単一の保護紙ストリップ２８またはテープライナが載せられるとよい。このようにして、ジッパ１４がシート状材料２０１に付着される準備が整うまで保護紙ストリップ２８またはテープライナは埃、泥、および破片から接着材料２６を保護し、同時に、単一の保護紙ストリップ２８またはテープライナは、左右フランジ２０Ａ，２０Ｂに存在する接着材料２６から取り除かれる。
【０１３３】
保護紙ストリップ２８またはテープライナは、任意で切欠き２４ａを含み得る。切欠き２４ａはジッパプル２４のための開口部になるとともに、左右フランジ２０Ａ，２０Ｂの上の接着材料２６を保護紙ストリップ２８またはテープライナが保護できるようにする。
【０１３４】
この実施形態では、複数の左右務歯部分２２Ａ，２２Ｂが左右フランジ２０Ａ，２０Ｂに直接に装着される。フランジは、布材料、ファブリック材料、補強材料、ナイロンメッシュ材料、ポリエステルメッシュ材料、およびその他を包含し得る。
【０１３５】
例えば、保護紙ストリップ２８またはテープライナが接着された前塗布接着材料２６を有するジッパ１４が、図１Ａ乃至１Ｄのパーティション組立キット１０に収納されるとよい。
【０１３６】
図２Ｂは、本発明概念の他の実施形態による図１Ａ乃至１Ｄのパーティション組立キットに含まれ得るタイプのジッパの斜視図である。この例示的実施形態では、パーティション組立キット１０に含まれるロール状両面テープ１００の第１および第２テープストリップ３０６Ａ，３０６Ｂが細分されており、ジッパ１４の左右フランジ１０１Ａ，１０１Ｂに設置者により接着される。第１および第２テープストリップ３０６Ａ，３０６Ｂは、ジッパ１４の左右フランジ１０１Ａ，１０１Ｂの全長（つまり上部３０７から底部３０８まで）に沿って接着され得る。さらに、第１および第２テープストリップ３０６Ａ，３０６Ｂが、再利用可能なジッパ１４の上部３０７よりも距離３０９だけ下方から、再利用可能なジッパ１４の長さに沿って、再利用可能なジッパ１４の底部３０８まで接着されることが可能である。こうして、図３Ａ〜Ｍに図示されている設置者２００などの設置者は、左右フランジ１０１Ａ，１０１Ｂの上に第１および第２テープストリップ３０６Ａ，３０６Ｂを有するジッパ１４を、部分的に組み立てられたパーティション取付システムのシート状材料２０１に付着することができる（例えば図３Ｄ参照）。
【０１３７】
第１および第２テープストリップ３０６Ａ，３０６Ｂのないジッパ１４の上部３０７からの距離３０９は、テープストリップ３０６Ａ，３０６Ｂとシート状材料２０１との組み合わせからジッパ１４を最終的に取り除くためのプルタブとしての利用が可能である。図２Ａ（Ａ）および２Ａ（Ｂ）については示されていないが、シート状材料２０１からジッパ１４を最終的に取り除くためにプルタブが設けられるように、図２Ａ（Ａ）および２Ａ（Ｂ）に図示されたジッパ１４の前塗布接着材料２６がジッパの上部からある距離だけ後退しているとよい。
【０１３８】
ここで説明される実施形態のジッパ１４は、いくつかの実施形態では長さが約５フィートから約１２フィートに及ぶ長さＬＺを有することが可能である。他の実施形態では、長さＬＺは、５フィートより小さいか１２フィートより大きい長さであり得る。一実施形態では、ジッパの長さＬＺは標準サイズ入口の高さの５０％より大きい。別の実施形態においてジッパの長さＬＺは、標準サイズ入口の高さの７５％より大きい。別の実施形態では、ジッパの長さＬＺは最小で４フィートの長さである。別の実施形態では、ジッパの長さＬＺは最小で５フィートの長さである。別の実施形態では、ジッパの長さＬＺは最小で６フィートの長さである。別の実施形態では、ジッパの長さＬＺは最小で７フィートの長さである。別の実施形態では、ジッパの長さＬＺは最小で８フィートの長さである。別の実施形態では、ジッパの長さＬＺは最小で９フィートの長さである。別の実施形態では、ジッパの長さＬＺは最小で１０フィートの長さである。
【０１３９】
図２Ｃは、本発明概念の実施形態による図１Ａ乃至１Ｄおよび図４Ａ乃至４Ｆのパーティション組立キットに含まれ得るタイプのロール状両面テープ１００の分解斜視図である。他の実施形態では、ここに開示されるパーティション組立キット以外のロール状両面テープ１００が用意され、独自の形での用意が可能である。ロール状両面テープ１００は、キャリア材料１０１の第１面の高粘着性接着材料１０２とキャリア材料１０１の第２面の低粘着性接着材料１０３とを有するキャリア材料１０１を包含し得る。キャリア材料１０１は、いくつかのキャリア材料のいずれかを包含できる。いくつかの実施形態において、キャリア材料１０１は、クレープペーパー、カレンダーペーパー、ロープペーパー、およびその他などの紙を包含する。キャリア材料１０１は、いくつかの実施形態では約０．１ｍｍと約０．３ｍｍの間に及ぶ厚さＴ１を有する。このようにして、結果的に得られる紙キャリア材料を有する両面テープは、手で容易に裂いたり破いたりできる。
【０１４０】
一実施形態において、ロール状両面テープ１００は、キャリア材料１０１の第１面の高粘着性接着材料１０２とキャリア材料１０１の第２面の低粘着性キャリア材料１０３とを有する単層キャリア材料１０１を包含する。他の実施形態において、ロール状両面テープ１００は、第１キャリア材料１０１の第１面の高粘着性接着材料１０２と第２キャリア材料１０１の第１面の低粘着性接着材料１０３とを有する多層キャリア材料１０１を包含する。この実施形態では、接着材料または他の適当な基板によって第１および第２キャリア材料１０１の第２面が一緒に貼付され得る。
【０１４１】
他の実施形態において、キャリア材料１０１は、ポリエステルフィルム（ＭｙｌａｒまたはＭｅｌｉｎｅｘなど）、ポリプロピレンフィルム、ポリエチレンフィルム、布材料、ビニルフィルム、または上記の組み合わせを包含できる。
【０１４２】
ロール状両面テープ１００はさらに、キャリア材料１０１の第２面を被覆するテープライナ１０４を包含できる。ロール状両面テープ１００が容易に巻き出されるように、テープライナ１０４が高粘着性接着材料１０２に配置されるとよい。いくつかの実施形態において、テープライナ１０４は、紙剥離ライナ、プラスチック剥離ライナ、着色剥離ライナ、および／またはその他を包含するとよい。一実施形態では、剥離ライナがキャリア材料と視覚的に区別可能となるように、着色剥離ライナが用意される。このようにして、着色剥離ライナはキャリア材料から容易に区別可能となって、設置者による除去が容易となる。紙キャリア材料および紙テープライナが組み合わせで使用されると仮定すると、両面テープが手で容易に裂かれたり破かれたりすることができる。
【０１４３】
着色剥離ライナは、赤色剥離ライナ、黄色剥離ライナ、青色剥離ライナ、緑色剥離ライナ、黒色剥離ライナ、またはオレンジ色剥離ライナを包含できる。いくつかの実施形態において、剥離ライナは、製品販売者のトレードカラーと関連する色を包含する。
【０１４４】
キャリア材料は、白色キャリア材料、黄褐色キャリア材料、または灰色キャリア材料を包含できる。いくつかの実施形において、キャリア材料は、製品販売者のトレードカラーと関連する色を包含し、剥離ライナの色とは異なっていてもよい。
【０１４５】
キャリア材料１０１およびテープライナ１０４はそれぞれ幅Ｗ１，Ｗ２を有し、これはいくつかの実施形態では約１／２インチから約４インチに及ぶ幅である。他の実施形態において、幅Ｗ１，Ｗ２は１／２インチより小さいか４インチより大きい幅でよい。さらに、キャリア材料１０１の幅Ｗ１とテープライナ１０４の幅Ｗ２は、実質的に等しい幅であり得る。キャリア材料１０１とテープライナ１０４とはそれぞれ長さＬ１，Ｌ２を有し、これはいくつかの実施形態において、約１０フィートから約５０フィートに及ぶ長さである。他の実施形態において、長さＬ１，Ｌ２は、１０フィートより小さいか５０フィートより大きい長さであってもよい。
【０１４６】
高粘着性接着材料１０２と低粘着性接着材料とは、ゴム製接着化合物を包含するとよい。しかし、高粘着性接着材料１０２および低粘着性接着材料が他の適当な接着化合物を包含してもよい。高粘着性接着材料１０２は、いくつかの実施形態では２０Ｎ／ｉｎより高いか等しく、好ましくは約２５Ｎ／ｉｎである剥離接着力（Ｎ／ｉｎ）を有する。他の実施形態において、高粘着性接着材料１０２は２０Ｎ／ｉｎより低い剥離接着力を任意で有することが可能である。低粘着性接着材料１０３は、いくつかの実施形態において１５Ｎ／ｉｎより低いか等しく、好ましくは約１０Ｎ／ｉｎである剥離接着力を有する。他の実施形態において、低粘着性接着材料１０３は、１５Ｎ／ｉｎより高い剥離接着力を任意で有することが可能である。こうして、低粘着性接着材料１０３は、塗料または壁紙を剥がすか残留物を残すことなく、入口、窓枠、ドア枠、または他の開口部から両面テープ１００を取り除くことを可能にする。
【０１４７】
高粘着性接着材料１０２を有するキャリア材料１０１の第１面はシート状材料２０１に接着されることが可能で、仕切られるエリアの間の負圧または正圧差に耐え得る。ドアまたは窓が開けられた時に負圧の包囲エリアに空気が吸引されるため、包囲エリアには負圧が発生することが多い。これは、開けられたドアおよび窓から埃または他の破片が放出されることを防止する。
【０１４８】
両面テープ１００は示差接着力比（高粘着性接着材料１０２の剥離接着力と低粘着性接着材料１０３の剥離接着力との比）を有し、これはいくつかの実施形態では約４：３から約６：１に及び、好ましい示差接着力比は約５：２である。
【０１４９】
いくつかの実施形態において、両面テープの低粘着性面は、ガラス、枠モールディング、およびその他に残留接着剤が残ることを防止するＵＶ保護剤を包含する。
【０１５０】
図２Ｄは、本発明概念の実施形態による図１Ａ乃至１Ｄのパーティション組立キットに含まれ得るタイプのカッタの斜視図である。パーティション組立キット１０は、例えば、内容全体が参考として取り入れられている２０１０年６月２９日発行の米国特許番号第７，７４３，５１２号に記載されたタイプのカッタ１８を任意で含むことができる。
【０１５１】
カッタ１８は、ジッパ１４が付着されたシート状材料２０１（例えば図３Ｇ参照）を穿刺および切断するように機能する。カッタ１８は、ジッパ１４の左右務歯部分２２Ａ，２２Ｂの間にあるシート状材料２０１の開口部を切断するような構造および構成を持つ。ジッパ１４の左右務歯部分２２Ａ，２２Ｂの間に開口部が形成されてしまうと、ジッパ１４を開けることによってバリヤの通過が可能となり、ジッパ１４を再び閉じることで再密封される。
【０１５２】
カッタ１８は、把持面を設けて自重による切断を行いユニットの横方向剛性を付与するため、リブ状になったハンドル３６を含む。ハンドル３６は、左右に離間したボデー区分４０Ａ，４０Ｂに分割されているボデー部分３８に結合されている。左右ボデー区分４０Ａ，４０Ｂの各々は、図のように露出エッジ４４Ａ，４４Ｂを有するブレード４２Ａ，４２Ｂを含む。ブレードエッジ４４Ａ，４４Ｂの尖鋭度は、プラスチックシートまたは布シートなどのシート状材料２０１を裂き易くするのに適している。一実施形態において、二重ブレード４２Ａ，４２Ｂは、鋭利なステンレス鋼、金属、または金属合金を包含する。露出ブレードエッジ４４Ａ，４４Ｂは、シート状材料２０１を切断する時にカッタ１８に印加される力の方向と整合されるような配向であることが好ましい。
【０１５３】
二重ブレード４２Ａ，４２Ｂは距離ｄ１だけ離間しており、例えば距離ｄ１は約０．５ｃｍから約３．０ｃｍに及ぶことが可能である。一実施形態では、パーティション組立キット１０に含まれる一つ以上のジッパ１４の寸法にしたがって距離ｄ１が決定されるとよい。例えば、ジッパ１４のフランジ２０Ａ，２０Ｂの間のシート状材料２０１の大きな細片を除去して、さもなければジッパ１４の動作を妨害し得るシート状材料２０１のフラップの形成を回避するため、ジッパ１４のフランジ２０Ａ，２０Ｂの間の距離によって距離ｄ１が決定されるとよい。図のように、二重ブレード４２Ａ，４２Ｂは、カッタ１８のボデー３８に入り込んでいて安全な動作および安全な格納を可能にすることが好ましい。一実施形態において、ブレードエッジ４４Ａ，４４Ｂは、切断動作をより向上させるように切断方向に対してある角度の配向を持つ。
【０１５４】
ハンドル３６の反対の左右ボデー区分４０Ａ，４０Ｂの各々から延出しているのは、尖端を有する長形の穿刺フィンガ４６である。穿刺フィンガ４６は、シート状材料２０１と最初に接触して、切断のため二重ブレード４２Ａ，４２Ｂがシート状材料２０１と接触する位置となるまでシート状材料２０１を穿刺するような構造および構成を持つ。切断の前にシート状材料２０１を最初に穿刺すると、より滑らかでより正確な切断動作が行われる。穿刺フィンガ４６はさらに、カッタ１８の安全性を向上させるように、穿刺フィンガ４６により画定される切断凹部領域で二重ブレード４２Ａ，４２Ｂを保護する。穿刺フィンガ４６は、穿刺後のシート状材料２０１をさらに切断するため、穿刺後のシート状材料２０１を切断凹部領域へ案内する内側ガイド面４８を含む。
【０１５５】
カッタ１８の離間したボデー区分４０Ａ，４０Ｂとブレード４２Ａ，４２Ｂとの間には、任意の材料偏向部５０または多数の材料偏向部５０が設けられている。材料が切断される際に、材料偏向部５０は、穿刺フィンガ４６のガイド面４８により案内される際に切断凹部領域へ挿入されるシート状材料を、二重ブレード４２Ａ，４２Ｂのブレードエッジ４４Ａ，４４Ｂへ引き寄せるように機能する。
【０１５６】
図３Ａ〜３Ｍは、本発明概念の実施形態による図１Ａ乃至１Ｄに関連して説明されたタイプのパーティション組立キットを使用してパーティション取付システムを組立および設置するための方法を図示している。図３Ａにおいて、設置者２００は、部屋のどの部分にパーティション取付システムを設置するかを決定する。この例では、パーティション組立キット１０を使用して設置者２００がパーティション取付システムを設置する。パーティション取付システムは、部屋の窓枠２０２または入口２０７を密封および／または隔離するような構造を持つことが可能である。パーティション取付システムはさらに、他の様々な開口部、進入エリア、およびその他を密封および／または隔離するような構造を持つことが可能である。
【０１５７】
部屋は、天井２２０と床２２１と側壁２２２，２２３とを包含する。窓枠２０２は、上枠部分２０４と横枠部分２０３，２０５と窓敷居２０６とを包含する。入口２０７は、上枠部分２０９と横枠部分２０８，２１０と底枠部分２１１とを包含する。
【０１５８】
この例で、設置者２００は、低粘着性接着材料１０３を有するキャリア材料１０１の第２面を窓枠２０２に押し当てることにより、パーティション組立キット１０からの両面テープ１００を窓枠２０２に貼付する。例えば、設置者２００は、窓枠２０２の横部分２０５の上部２０５ｔに両面テープ１００の開始部分１００ｓを押し当てて、両面テープ１００の裏面（つまりキャリア材料１０１の第２面を被覆するテープライナ１０４を有する両面テープ１００の第１面）に手で均一な圧力を印加するとともに、窓枠２０２の横部分２０５の底部２０５ｂへ下方向に、両面テープ１００の連続ストリップを窓枠２０２の横部分２０５に付着させる。設置者２００は次に、両面テープ１００を手で破るか、ナイフ、カッタ、はさみ、またはブレードを使用して切断する。その結果、第１両面テープストリップ１００Ａが窓枠２０２の横部分２０５に貼付される。
【０１５９】
図３Ｂでは、設置者２００が同様に、窓枠２０２の残り部分（つまり横枠部分２０３、上枠部分２０４、窓敷居２０６）に両面テープ１００を貼付する。設置者２００はさらに、入口２０７の上枠部分２０９と横枠部分２０８，２１０と底枠部分２１１とに両面テープ１００を貼付する。テープストリップ１００Ａ，１００Ｂ，１００Ｃ，１００Ｄは窓枠２０２に貼付された状態で示され、テープストリップ１００Ｅ，１００Ｆ，１００Ｇ，１００Ｈは入口２０７に貼付された状態で示されている。
【０１６０】
この例において、設置者２００は、第１および第２シート状材料２０１Ａ，２０１Ｂをパーティション組立キット１０の容器１１から取り出す。いくつかの実施形態では、設置者２００がパーティション組立キット１０の容器１１から単一のシート状材料２０１を取り出し、単一のシート状材料２０１をさらに切断して第１および第２シート状材料２０１Ａ，２０１Ｂを形成することができる。他の実施形態において、設置者２００はパーティション組立キット１０の容器１１から単一のシート状材料２０１を取り出して、単一のシート状材料２０１を使用してドア枠２０７を被覆するが窓枠２０２は被覆しないようにしてもよい。
【０１６１】
図３Ｃでは、設置者２００が、キャリア材料１０１の第２面を被覆している両面テープストリップ１００Ａからテープライナ１０４Ａを取り除くことで、高粘着性接着材料１０２Ａを露出させる。設置者２００は続いて、窓枠２０２に貼付されているテープストリップ１００Ａ，１００Ｂ，１００Ｃ，１００Ｄと入口２０７に貼付されているテープストリップ１００Ｅ，１００Ｆ，１００Ｇ，１００Ｈから、テープライナを取り除く。
【０１６２】
図３Ｄでは、設置者２００がパーティション組立キット１０からの第２シート状材料２０１Ｂを、窓枠２０２のテープストリップ１００Ａ，１００Ｂ，１００Ｃ，１００Ｄの露出した高粘着性接着材料１０２に貼付し、さらにパーティション組立キット１０からの第１シート状材料２０１Ａを、入口２０７のテープストリップ１００Ｅ，１００Ｆ，１００Ｇ，１００Ｈの露出した高粘着性接着材料１０２に貼付する。
【０１６３】
窓およびドア枠２０２，２０７に貼付されるシート状材料２０１Ａ，２０１Ｂは、像が透けて見えないように、および／または材料を光線が透過するのを防止するように、不透明であるとよい。さらに、光線は材料を透過できるが反対側の物体がはっきりとは識別できないように、シート状材料２０１Ａ，２０１Ｂが半透明であってもよい。不透明または半透明のシート状材料２０１は、部外者が部屋の内部を見ることを防止するのに使用されてもよい。他方、光線が材料を通過して物体が照らされるように、また材料を通して物体がはっきりと見えるように、シート状材料２０１が透明であってもよい。
【０１６４】
ここで説明される両面テープを使用して様々なパーティション構成を設置するための両面テープおよび方法は、全体が参考として取り入れられている１９９６年１０月２９日出願の米国特許第５，９２４，４６９号、２００５年５月１０日出願の米国特許第７，６５８，２１９号、２００３年６月２０日出願の米国特許第７，０７３，７５８号、２００３年６月２０日出願の米国特許第７，５３３，７１２号、および２０１０年６月２９日発行の米国特許第７，７４３，５１２号に記載されているものなど、他のパーティション取付システムに関連して使用されることが可能である。
【０１６５】
図３Ｅにおいて、設置者２００は、パーティション組立キット１０からジッパ１４を取り出して、ジッパ１４をシート状材料２０１に接着する。この例ではジッパ１４は、入口２０７に付着された第２シート状材料２０１Ｂに貼付された状態で示される。
【０１６６】
一実施形態では、図２Ａに図示されたジッパなどの前塗布接着材料２６を有するジッパ１４が、設置者２００によりシート状材料２０１に貼付される。この実施形態では、シート状材料２０１にジッパ１４を貼付する前に、設置者２００が保護用紙ストリップ２８または単一ストリップ２８をジッパ１４から取り除く。
【０１６７】
別の実施形態では、図２Ｂに図示されたジッパなどのジッパ１４の左右フランジ１０１Ａ，１０１Ｂに接着された第１および第２テープストリップ３０６Ａ，３０６Ｂを有するジッパ１４が、設置者２００によりシート状材料に貼付される。この実施形態では、ジッパ１４をシート状材料２０１に貼付する前に、設置者が第１および第２テープストリップ３０６Ａ，３０６Ｂをジッパ１４の左右フランジ１０１Ａ，１０１Ｂに付着する。
【０１６８】
別の実施形態において、図４Ａ乃至４Ｆに図示されたシート状材料２０１のように、シート状材料２０１が第１および第２前装着ジッパ１４を包含する。
【０１６９】
図３Ｅおよび３Ｆを参照すると、ジッパ１４の底部５２がシート状材料２０１の底部と整合されているため、ジッパプル２４を使用してジッパ１４が開かれるとジッパ１４のジッパ務歯部分２２Ａ，２２Ｂの間および左右フランジ２０Ａ，２０Ｂの間にあるシート状材料２０１の一部分５４が露出する。
【０１７０】
図３Ｇでは、ジッパ１４の左右務歯部分２２Ａ，２２Ｂの間にある露出シート部分５４の上部分に、設置者２００がカッタ１８を配置する。二つの離間した穿刺箇所６２で穿刺フィンガ４６の尖端が最初に露出シート部分５４を貫通するように、設置者２００はカッタ１８に圧力を印加する。
【０１７１】
図３Ｈにおいて、矢印５６で示されているように設置者２００がカッタ１８を下向き切断方向に引き始めると、穿刺フィンガ４６がさらにシート状材料２０１に食い込む。穿刺フィンガ４６のガイド面４８が、カッタ１８の二重ブレード４２Ａ，４２Ｂの方へシート状材料２０１を偏向させ、同時に材料偏向部５０がシート状材料２０１を二重ブレード４２Ａ，４２Ｂの方へぴったりと引き寄せる。
【０１７２】
図３Ｉを参照すると、下向き方向５６に切断が続くと、カッタ１８のブレード４２Ａ，４２Ｂによってプラスチックシートに二つの平行な切断部が形成される。二つの平行な切断部は、ジッパ１４の左右フランジ２０Ａ，２０Ｂの間で切断された材料細片５８を画定する。フランジ２０Ａ，２０Ｂの近くに切断部が形成されるようにブレード４２Ａ，４２Ｂは適当な距離ｄ１だけ離間しているため、左右ジッパ務歯２２Ａ，２２Ｂの間には余分なシート材料が存在しない。このようにして、ジッパ１４の左右部分の間に残っているシート材料が、適切なジッパ動作を妨害することはない。
【０１７３】
図３Ｊでは、左右ジッパ部分の間で切断された材料細片５８が見られる。材料細片５８は、穿刺孔６２で切断が開始された穿刺領域６０に付着したままである。二重平行切断部６４は穿刺孔６２からジッパ１４の長さに沿って延出する。切断部の完成に続いて、図３Ｋに示されているように、材料細片がジッパ１４の上、底、または上および底の部分にある穿刺領域６０で破断されるか切断され、設置者２００により取り除かれる。
【０１７４】
図３Ｌは、平行な切断部の間の材料細片５８が取り除かれた後の開口ジッパ１４の斜視図である。ジッパ１４の開口部には、臨時入口６６が設けられている。ジッパ１４をジッパプル２４と嵌合および解離させることにより、臨時入口６６が意のままに開閉可能である。
【０１７５】
図３Ｍに図示されているような別の実施形態では、第１ジッパ１４に隣接して平行に、設置者２００が第２ジッパ１４をシート状材料２０１に貼付することができる。こうして、第１および第２ジッパ１４が開かれて、二つのジッパの間のシート状材料が巻き上げられると、広い臨時入口６８が形成される。
【０１７６】
上記の実施形態は、窓枠２０２および入口２０７におけるシート状材料２０１Ａ，２０１Ｂの設置が描かれているが、本発明概念の実施形態はこれに限定されない。他の好適な実施形態では、パーティション組立キット、シート状材料、および設置方法は、窓枠２０２のみ、または入口２０７のみ、または隣接する環境の他の領域のみでのシート状材料の設置に適用される。
【０１７７】
図４Ａ乃至４Ｆは、本発明概念の他の実施形態によるパーティション取付システムを組み立てるための部品および工具を含むパーティション組立キットの斜視図である。図１Ａ乃至１Ｄに図示されたものと同じ機能を有する要素は同様の参照識別名で示され、ゆえに詳細な説明は省略される。
【０１７８】
図４Ａを参照すると、パーティション組立キット１０００は、前装着ジッパ開口部を有するパーティション取付システムを組み立てるための部品および工具を設置者に提供する。パーティション組立キット１０００は、図１Ａ乃至１Ｄの容器１１などの容器に封入されることが可能である。
【０１７９】
パーティション組立キット１０００に含まれる部品および工具は、一実施形態において、第１および第２ジッパ１１４が前装着されたシート状材料２０１と、ロール状両面テープ１００とを含み得る。別の実施形態では、前装着された単一ジッパ１４をシート状材料２０１が有する。別の実施形態では、前装着された複数のジッパ１４をシート状材料２０１が含む。
【０１８０】
図４Ｂを参照すると、パーティション組立キット１０００に含まれる部品および工具は、一実施形態において、第１および第２ジッパ１１４が前装着されたシート状材料２０１と、ロール状両面テープ１００と、カッタ１８とを含み得る。この実施形態では、第１および第２ジッパの開口部の間の材料細片を取り除くのに、カッタ１８が設置者に使用されることが可能である。
【０１８１】
ここで説明されるいずれかの実施形態のパーティション組立キット１０００は、例えば図６Ｅに関連してさらに詳しく以下で説明されるようにして、シート状材料２０１に形成される臨時開口部を固定するためのひも、ベルクロストラップ、または他の仕組みなどのストラップ１９を任意で含むことができる。示されていないが、ここで説明されるパーティション組立キット実施形態のいずれかにストラップ１９が任意で含まれることが可能である。
【０１８２】
図４Ｃを参照すると、図１Ａ乃至１Ｄに関連して上述されたプラスチックバッグ、スリーブ、または他のタイプの容器１１などの容器１１にパーティション組立キット１０００が封入されることが可能である。この実施形態において、パーティション組立キット１０００は、前装着された第１および第２ジッパ１４を有するシート状材料２０１を包含する。しかし、他の実施形態では、シート状材料２０１が単一の前装着ジッパ１４を包含してもよい。
【０１８３】
パーティション組立キット１０００はさらに、容器１１にステープル留め、接着、または圧着されるとよい紙またはプラスチックのヘッダ１５００を包含してもよい。この実施形態では、第１、第２、および第３ステープル１５０２ａ，１５０２ｂ，１５０２ｃを介して容器１１にステープル留めされたヘッダ１５００が示されている。ヘッダ１５００に固定された製品ラベルをヘッダ１５００がさらに包含してもよい。しかし、製品ラベルがヘッダ１５００に直接印刷されることも可能である。
【０１８４】
さらに、ヘッド１５００は、パーティション組立キット１０００を店舗棚システムに掛けるのに使用可能である棚ハンガ開口部１５０３を包含できる。
【０１８５】
図４Ｄを参照すると、プラスチックバッグまたはスリーブなどの容器１１にパーティション組立キット１０００が封入され得る。この実施形態では、第１および第２ジッパ１４が前装着されたシート状材料２１０とロール状両面テープ１００とを有するシート状材料２０１を、パーティション組立キット１０００が包含する。しかし、他の実施形態では、シート状材料２０１が単一の前装着ジッパ１４を包含してもよい。
【０１８６】
図４Ｅを参照すると、プラスチックバッグまたはスリーブなどの容器１１に、パーティション組立キット１０００が封入され得る。この実施形態において、パーティション組立キット１０００は、第１および第２ジッパ１４が前装着されたシート状材料２０１と、ロール状両面テープ１００と、カッタ１８とを包含する。図４Ｅの実施形態では、前装着ジッパ１４の左右フランジの間に位置するシート状材料２０１の部分が製造者によって前切断されていない場合に、カッタ１８が含まれることが可能である。他の実施形態では、シート状材料２０１が単一の前装着ジッパ１４を包含してもよい。
【０１８７】
図４Ｆを参照すると、プラスチックバッグまたはスリーブなどの容器１１にパーティション組立キット１０００が封入され得る。パーティション組立キット１０００は、密封プラスチックバッグなどの容器１１に封入された状態で示されている。
【０１８８】
この実施形態では、単一の前装着ジッパ１４を有するシート状材料２０１とロール状両面テープ１００とをパーティション組立キット１０００が包含している。しかし、他の実施形態では、前装着された第１および第２ジッパ１４をシート状材料２０１が包含し得る。
【０１８９】
いくつかの実施形態において、製品ラベル１５０１は、容器１１内に配置される紙またはプラスチックラベルを包含し得る。しかし他の実施形態では、容器１１の外面に固定された紙またはプラスチックラベルを、製品ラベルが包含し得る。他の実施形態では、製品ラベル１５０１が容器１１に直接印刷されることが可能である。
【０１９０】
図５は、本発明概念の実施形態による図４Ａ乃至４Ｆのキットに含まれ得るタイプの前装着ジッパを有するシート状材料の斜視図である。この実施形態では、プルタブ２４を各々が有する第１および第２の前装着ジッパ１４をシート状材料が包含する。しかし、上述のように、いくつかの実施形態では、シート状材料が単一の前装着ジッパ１４を包含できる。
【０１９１】
第１および第２ジッパ１４はシート状材料２０１に縫着されることが好ましい。しかし他の実施形態では、第１および第２ジッパ１４が接着材料によってシート状材料２０１に装着され得る。他の実施形態では、第１および第２ジッパ１４がシート状材料２０１に熱溶着され得る。
【０１９２】
図６Ａ〜Ｅは、本発明概念の実施形態による図４Ａ乃至４Ｆに関連して説明されたタイプのパーティション組立キットを使用してパーティション取付システムを組み立てる方法を図示している。この例では、パーティション組立キット１０００を使用して設置者２００がパーティション取付システムを設置する。図６Ａ〜６Ｅのパーティション取付システムは、部屋１３０の戸口１３１を密封および／または隔離するような構造および構成を持つ。
【０１９３】
図６Ａでは、設置者２００がパーティション組立キット１０００の容器１１からロール状両面テープ１００を取り出す。設置者２００は、低粘着性接着材料１０３を有する両面テープ１００の第２面を戸口１３１のドア枠１１６に貼付する。
【０１９４】
図６Ｂでは、設置者２００により保護ストリップまたはテープライナ１０４が両面テープ１００から取り除かれて、高粘着性接着材料１０２を有する両面テープ１００の第１面が露出される。
【０１９５】
設置者２００は、前装着の第１および第２ジッパ１４を有するシート状材料２０１をパーティション組立キット１０００の容器１１から取り出す。しかし、上述のように、シート状材料２０１が単一の前装着ジッパ１４を包含してもよい。
【０１９６】
図６Ｃにおいて、設置者２００は、両面テープ１００を有するシート状材料２０１をドア枠１１６に貼付して、負圧に耐え得る隙間のないシールを形成する。一実施形態では、所望の開口部またはエリアを被覆するため、シート状材料２０１がサイズ通りに切断される必要があるかもしれない。しかし他の実施形態では、特定の開口部サイズに合わせて設計されたシート状材料２０１をパーティション組立キットが包含するとよい。
【０１９７】
図６Ｄは、開放構成のジッパ１４を有する設置後のパーティション取付システムの斜視図である。ジッパ１４の開口部６６，１６６には臨時入口が設けられる。ジッパ１４をジッパプル２４と嵌合および解離させることにより、臨時入口は思い通りに開閉可能である。第１および第２ジッパ１４とともに示されているが、単一のジッパ１４が前装着されたシート状材料２０１の開口部６６に入口が設けられることも可能である。
【０１９８】
図６Ｅは、臨時入口を形成するために巻き上げられた第１および第２ジッパ１４の間のシート状材料２０１の一部分を図示している。いくつかの実施形態では、ストラップ１９を使用してシート状材料２０１の一部分２０１ａを設置者２００が巻き上げて固定することができる。例えば、設置者２００がシート状材料２０１の部分２０１ａの孔１９ａにストラップ１９の一端部を通して、ストラップ１９の長さを巻き上げ部分２０１ａに巻き付け、ストラップ１９の両端部を一緒に結ぶとよい。他の実施形態では、シート状材料２０１の巻き上げ部分２０１ａを固定するためのベルクロのような材料をストラップが包含するとよい。
【０１９９】
図７は、本発明概念の実施形態による両面テープの技術データ特性の表である。一実施形態では、０．２３ｍｍプラスマイナス０．１ｍｍの厚さを両面テープ１００が有する。この実施形態において、高粘着性接着材料１０２は３０Ｎ／ｉｎより高いか等しい剥離接着力を有し、低粘着性接着材料１０３は６Ｎ／ｉｎより高いか等しい剥離接着力を有する。さらに、高粘着性接着材料１０２は低粘着性接着材料１０３のものより高い剥離接着力を有する。さらに、この実施形態では、１０より低いか等しいボールタックと６５Ｎ／ｉｎより高いか等しい引張強度と１３％より高いか等しい伸び率とを両面テープ１００が有する。
【０２００】
図３に示された試験特性は、中華人民共和国標準化管理委員会（ＳＡＣ）により発行された「ＧＢ」および「ＧＢ／Ｔ」国内規格などの公認工業規格の使用を含めて、当該技術分野で周知の様々な試験方法により測定される。
【０２０１】
ここに提示される両面テープ厚さの測定は、内容が参考として取り入れられているＳＡＣ規格ＧＢ／Ｔ  ７２０１５−１９９９「感圧性および粘着性テープの厚さに関する試験方法」に従って測定された。
【０２０２】
ここに提示される高粘着性接着材料および低粘着性接着材料の剥離接着力の測定は、内容が参考として取り入れられているＳＡＣ規格ＧＢ／Ｔ２７９２−１９９８「感圧性テープの１８０°角度での剥離強度に関する試験方法」に従って測定された。
【０２０３】
ここで提示されるボールタックの測定は、参考として内容が取り入れられているＳＡＣ規格ＧＢ／Ｔ４８５２−２００２「回転ボールによる感圧性接着テープの粘着性に関する試験方法」に従って測定された。
【０２０４】
ここに提示される引張強度および伸び率の測定は、参考として内容が取り入れられているＳＡＣ規格ＧＢ７７５３−１９８７「感圧性接着テープの引張特性に関する試験方法」に従って測定された。
【０２０５】
本発明概念の実施形態は、取り除かれた時に部屋の表面へのダメージを防止する低粘着性の面を有するとともに、部屋、ドア枠、窓枠、およびその他の表面へのカーテンまたはプラスチックシートの固定を可能にする高粘着性の面を有する両面テープを提供する。本発明概念の実施形態はさらに、両面テープを使用する様々なパーティション構成を設置する方法を提供する。本発明概念の実施形態はさらに、パーティション取付システムの設置および組立のためのパーティション取付システムおよび工具の部品を包含するパーティション組立キットを提供する。
【０２０６】
例示的実施形態を参照して、本発明概念が上記で詳しく示され説明されたが、以下の請求項により説明および規定される本発明概念の趣旨および範囲を逸脱することなく形状および詳細の様々な変更が可能であることが当業者には理解されるだろう。
【符号の説明】
【０２０７】
１０  パーティション組立キット
１１  容器
１１ａ  第１区画
１１ｂ  第２区画
１１ｃ  第３区画
１１ｄ  第４区画
１４  ジッパ
１８  カッタ
１９  ストラップ
１９ａ  孔
２０Ａ  左フランジ
２０Ｂ  右フランジ
２１Ａ，２１Ｂ  ジッパ材料
２２Ａ  左務歯部分
２２Ｂ  右務歯部分
２４  ジッパプル
２４ａ  切り欠き
２６  前塗布接着材料
２８  保護用紙ストリップ
３６  ハンドル
３８  ボデー部分
４０Ａ  左ボデー区分
４０Ｂ  右ボデー区分
４２Ａ，４２Ｂ  ブレード
４４Ａ，４４Ｂ  ブレードエッジ
４６  穿刺フィンガ
４８  内側ガイド面
５０  材料偏向部
５２  ジッパの底部
５４  露出シート部分
５８  材料細片
６０  穿刺領域
６２  穿刺孔
６４  切断部
６６  臨時入口／開口部
１００  両面テープ
１００ｓ  両面テープの開始部分
１０１  キャリア材料
１０２  高粘着性接着材料
１０３  低粘着性接着材料
１０４  テープライナ
１１６  ドア枠
１３０  部屋
１３１  戸口
１６６  開口部
２００  設置者
２０１  シート状材料
２０１Ａ  第１シート状材料
２０１Ｂ  第２シート状材料
２０２  窓枠
２０４，２０９  上枠部分
２０３，２０５，２０８，２１０  横枠部分
２０５ｂ  窓枠の横部分の底部
２０５ｔ  窓枠の横部分の上部
２０６  窓敷居
２０７  入口／ドア枠
２１１  底枠部分
２２０  天井
２２１  床
２２２，２２３  側壁
３０７  上部
３０８  底部
３０９  距離
１０００  パーティション組立キット
１５００  ヘッダ
１５０１  製品ラベル
１５０２ａ  第１ステープル
１５０２ｂ  第２ステープル
１５０２ｃ  第３ステープル
１５０３  棚ハンガ用開口部
ＬＺ  ジッパの長さ
Ｌ１  キャリア材料の長さ
Ｌ２  テープライナの長さ
Ｔ１  キャリア材料の厚さ
Ｗ１  キャリア材料の幅
Ｗ２  テープライナの幅
【図１Ａ】
2013506069.tif 000003
【図１Ｂ】
2013506069.tif 000004
【図１Ｃ】
2013506069.tif 000005
【図１Ｄ】
2013506069.tif 000006
【図２Ａ（Ａ）】
2013506069.tif 000007
【図２Ａ（Ｂ）】
2013506069.tif 000008
【図２Ｂ】
2013506069.tif 000009
【図２Ｃ（Ａ）】
2013506069.tif 000010
【図２Ｃ（Ｂ）】
2013506069.tif 000011
【図２Ｄ】
2013506069.tif 000012
【図３Ａ】
2013506069.tif 000013
【図３Ｂ】
2013506069.tif 000014
【図３Ｃ】
2013506069.tif 000015
【図３Ｄ】
2013506069.tif 000016
【図３Ｅ】
2013506069.tif 000017
【図３Ｆ】
2013506069.tif 000018
【図３Ｇ】
2013506069.tif 000019
【図３Ｈ】
2013506069.tif 000020
【図３Ｉ】
2013506069.tif 000021
【図３Ｊ】
2013506069.tif 000022
【図３Ｋ】
2013506069.tif 000023
【図３Ｌ】
2013506069.tif 000024
【図３Ｍ（Ａ）】
2013506069.tif 000025
【図３Ｍ（Ｂ）】
2013506069.tif 000026
【図４Ａ】
2013506069.tif 000027
【図４Ｂ】
2013506069.tif 000028
【図４Ｃ】
2013506069.tif 000029
【図４Ｄ】
2013506069.tif 000030
【図４Ｅ】
2013506069.tif 000031
【図４Ｆ】
2013506069.tif 000032
【図５】
2013506069.tif 000033
【図６Ａ】
2013506069.tif 000034
【図６Ｂ】
2013506069.tif 000035
【図６Ｃ】
2013506069.tif 000036
【図６Ｄ】
2013506069.tif 000037
【図６Ｅ】
2013506069.tif 000038
【図７】
2013506069.tif 000039
【国際調査報告】
2013506069.tif 000040
2013506069.tif 000041
2013506069.tif 000042
2013506069.tif 000043